(57)【要約】  発電スイッチは、ホルダ部と、ホルダ部に固定された固定端部と自由振動する自由端部とを有し、自由端部が自由振動することで電力を発生させる発電部であって、磁性体板を有する発電部と、自由端部と固定端部とを結ぶ方向に延伸し、固定端部側の端部が軸支され、回動することで磁性体板に磁力によって吸着される状態と、吸着される状態から解放される状態とをとる磁石を有するアーム部と、軸支における軸の方向から見た場合に、アーム部と交差するように延伸し、自由端部側の端部が軸支され、回動することでアーム部を押し下げ回動させるレバー部と、押下された位置によりアーム部及びレバー部の少なくとも一方を押し下げ回動させる天板と、を備える。
2018230359.tif 000002
【特許請求の範囲】
【請求項１】
ホルダ部と、
前記ホルダ部に固定された固定端部と自由振動する自由端部とを有し、前記自由端部が自由振動することで電力を発生させる発電部であって、吸着体を有する発電部と、
前記自由端部と前記固定端部とを結ぶ方向に延伸し、前記固定端部側の端部が軸支され、回動することで前記吸着体に磁力によって吸着される状態と、前記吸着される状態から解放される状態とをとる磁石を有するアーム部と、
軸支における軸の方向から見た場合に、前記アーム部と交差するように前記自由端部と前記固定端部とを結ぶ方向に延伸し、前記自由端部側の端部が軸支され、回動することで前記アーム部を押し下げ回動させるレバー部と、
押下された位置により前記アーム部及び前記レバー部の少なくとも一方を押し下げ回動させる天板と、を備える
発電スイッチ。
【請求項２】
前記アーム部は、前記発電部が自由振動する方向から見た場合に前記発電部と重ならない位置に配置され、前記軸の方向から見た場合に所定の傾斜を有する傾斜部を有し、
前記レバー部は、前記自由振動する方向から見た場合に前記傾斜部と重なる位置であり、前記軸の方向から見たときに前記傾斜部より前記天板側に配置される突起部を有する
請求項１に記載の発電スイッチ。
【請求項３】
前記突起部は、前記レバー部の前記自由端部側及び前記固定端部側のうちの前記自由端部側に配置されている
請求項２に記載の発電スイッチ。
【請求項４】
前記突起部の先端の形状は、前記軸の方向から見た場合に、曲率を有する
請求項２に記載の発電スイッチ。
【請求項５】
前記アーム部及び前記レバー部が前記天板により押し下げられていない場合に、前記突起部と前記傾斜部とは当接している
請求項２に記載の発電スイッチ。
【請求項６】
前記アーム部の前記自由端部側及び前記レバー部の前記固定端部側のそれぞれは、前記天板と嵌合している
請求項１に記載の発電スイッチ。
【請求項７】
前記アーム部は、前記自由端部と前記固定端部とを結ぶ方向に延伸し、互いに平行となって前記発電部を挟み、前記固定端部側の端部同士が軸支された一対のアームから構成され、
前記レバー部は、前記アーム部と交差するように前記自由端部と前記固定端部とを結ぶ方向に延伸し、互いに平行となって前記発電部を挟み、前記自由端部側の端部同士が軸支された一対のアームから構成される
請求項１に記載の発電スイッチ。
【請求項８】
ホルダ部と、
前記ホルダ部に固定された固定端部と自由振動する自由端部とを有し、前記自由端部が自由振動することで電力を発生させる発電部であって、吸着体を有する発電部と、
前記自由端部と前記固定端部とを結ぶ方向に延伸し、互いに平行となって前記発電部を挟み、前記固定端部側の端部同士が軸支された一対のアーム、前記一対のアームの前記自由端部側の端部同士を接続する接続部、及び、前記一対のアームが回動することで前記吸着体に磁力によって吸着される状態と前記吸着される状態から開放される状態とをとる磁石を有するアーム部と、
外方から前記自由端部側を見たときに、前記一対のアームのそれぞれの前記自由端部側の端部を結ぶ方向に延伸し、それぞれの一端部が軸支され他端部が前記一対のアームに取り付けられる２つの補強アームを有し、前記２つの補強アームのうちの一方の補強アームは前記一対のアームのうちの一方のアームが回動することで前記一方の補強アームが回動するように前記他端部が前記一方のアームに取り付けられ、他方の補強アームは前記一方の補強アームが回動することで前記一方の補強アームの回動の向きと逆向きに回動するように前記一方の補強アームに連結され、かつ前記他端部が他方のアームに取り付けられている補強アーム部と、を備える
発電スイッチ。
【請求項９】
前記一方の補強アームは、前記他方の補強アームと交差する位置において前記他方の補強アーム側に突出した凸部を有し、
前記他方の補強アームは、前記凸部に対応した位置に凹部を有し、
前記凸部の少なくとも一部は前記凹部内に挿入されている
請求項８に記載の発電スイッチ。
【請求項１０】
前記凸部は、前記外方から前記自由端部側を見たときの外形が、略円形であり、
前記凹部は、前記外方から前記自由端部側を見たときの外形が、前記他方の補強アームの長尺方向が長軸となる略長円形である
請求項９に記載の発電スイッチ。
【請求項１１】
さらに、前記アーム部の軸支における軸の方向から見たときに、前記アーム部と交差するように前記自由端部と前記固定端部とを結ぶ方向に延伸し、前記自由端部側の端部が軸支され、回動することで前記アーム部を押し下げ回動させる凸部を有するレバー部を備える
請求項８〜１０のいずれか１項に記載の発電スイッチ。
【請求項１２】
さらに、押下された位置により前記アーム部及び前記レバー部の少なくとも一方を押し下げ回動させるように、前記アーム部及び前記レバー部を覆う位置に配置されている天板を備える
請求項１１に記載の発電スイッチ。
【請求項１３】
前記発電部は２つの圧電素子と、金属板とを有し、
前記２つの圧電素子は、前記金属板を挟むように配置されている
請求項１〜１２のいずれか１項に記載の発電スイッチ。
【発明の詳細な説明】
【技術分野】
【０００１】
本開示は、発電スイッチに関する。
【背景技術】
【０００２】
従来、電気機器を遠隔操作することができるスイッチなどの信号発生装置において、信号発生装置内部に発電装置を設け、信号発生装置の利便性を向上させることが提案されている。また、信号発生装置内部にアクチュエータ（発電部）を含む発電装置を設け、信号発生装置の利便性を向上させることが提案されている（例えば、特許文献１）。【０００３】
特許文献１に記載の信号発生装置（発電スイッチ）は、圧電素子を有する片持ち梁構造のアクチュエータ（発電部）と、断面視形状がＬ字型のスイッチ（アーム部）とを備える。スイッチが押されスイッチとアクチュエータの自由端とが接することでアクチュエータが屈曲し、スイッチがアクチュエータから離れることで、アクチュエータは自由振動を開始し、圧電効果により電圧が発生する。これにより、電池を必要としない信号発生装置が実現される。
【先行技術文献】
【特許文献】
【０００４】
【特許文献１】特開２００４−２０１３７６号公報
【発明の概要】
【０００５】
本開示の一態様に係る発電スイッチは、ホルダ部と、前記ホルダ部に固定された固定端部と自由振動する自由端部とを有し、前記自由端部が自由振動することで電力を発生させる発電部であって、吸着体を有する発電部と、前記自由端部と前記固定端部とを結ぶ方向に延伸し、前記固定端部側の端部が軸支され、回動することで前記吸着体に磁力によって吸着される状態と、前記吸着される状態から解放される状態とをとる磁石を有するアーム部と、軸支における軸の方向から見た場合に、前記アーム部と交差するように前記自由端部と前記固定端部とを結ぶ方向に延伸し、前記自由端部側の端部が軸支され、回動することで前記アーム部を押し下げ回動させるレバー部と、押下された位置により前記アーム部及び前記レバー部の少なくとも一方を押し下げ回動させる天板と、を備える。
【０００６】
本開示の別の一態様に係る発電スイッチは、ホルダ部と、前記ホルダ部に固定された固定端部と自由振動する自由端部とを有し、前記自由端部が自由振動することで電力を発生させる発電部であって、吸着体を有する発電部と、前記自由端部と前記固定端部とを結ぶ方向に延伸し、互いに平行となって前記発電部を挟み、前記固定端部側の端部同士が軸支された一対のアーム、前記一対のアームの前記自由端部側の端部同士を接続する接続部、及び、前記一対のアームが回動することで前記吸着体に磁力によって吸着される状態と前記吸着される状態から開放される状態とをとる磁石を有するアーム部と、外方から前記自由端部側を見たときに、前記一対のアームのそれぞれの前記自由端部側の端部を結ぶ方向に延伸し、それぞれの一端部が軸支され他端部が前記一対のアームに取り付けられる２つの補強アームを有し、前記２つの補強アームのうちの一方の補強アームは前記一対のアームのうちの一方のアームが回動することで前記一方の補強アームが回動するように前記他端部が前記一方のアームに取り付けられ、他方の補強アームは前記一方の補強アームが回動することで前記一方の補強アームの回動の向きと逆向きに回動するように前記一方の補強アームに連結され、かつ前記他端部が他方のアームに取り付けられている補強アーム部と、を備える。
【図面の簡単な説明】
【０００７】
【図１】図１は、実施の形態１に係る発電スイッチのボタン部側の外観を示す斜視図である。
【図２】図２は、実施の形態１に係る発電スイッチのケース部側の外観を示す斜視図である。
【図３】図３は、図１からボタン部及びケース部を省略した状態での、実施の形態１に係る発電スイッチの構成を示す斜視図である。
【図４】図４は、図１からボタン部及びケース部を省略した状態での、実施の形態１に係る発電スイッチの構成を示す分解斜視図である。
【図５】図５は、実施の形態１に係る発電装置の構成を示す分解斜視図である。
【図６】図６は、図５のＶＩ−ＶＩ線における、実施の形態１に係る発電部の部分断面図である。
【図７】図７は、実施の形態１に係るホルダ部と剛板との固定状態を説明するための分解斜視図である。
【図８】図８は、実施の形態１に係るアーム部の外観を示す平面図である。
【図９】図９は、実施の形態１に係るボタン下部の外観を示す平面図である。
【図１０】図１０は、実施の形態１に係るアーム部が回動することで発電部が発電することを説明するための断面図である。
【図１１】図１１は、実施の形態１に係るボタン部が操作されたときのアーム部及びレバー部の動きを示す概略図である。
【図１２】図１２は、図１１の状態における、実施の形態１に係る発電スイッチの概略断面図である。
【図１３】図１３は、実施の形態２に係る発電スイッチの構成を示す部分分解斜視図である。
【図１４】図１４は、実施の形態２に係るボタン部が操作されたときのアーム部及び補強アーム部の動作の概略を示す斜視図である。
【図１５】図１５は、実施の形態２に係るボタン部が操作されたときのアーム部及び補強アーム部の動作の概略を示す側面図である。
【発明を実施するための形態】
【０００８】
上述した特許文献１に記載の信号発生装置はアクチュエータの自由端部を屈曲させるため、スイッチのうちのアクチュエータの自由端部の上方の位置を押下するように配置されている。つまり、平面視において、スイッチを押すことができる位置が限られており、操作性が低いという問題がある。特に、持ち運び可能な発電スイッチなど、向きが固定されていない発電スイッチである場合に操作性が低い。
【０００９】
また、スイッチを押すときのスイッチの幅方向（言い換えると、断面視形状が延設する方向）に位置によっては、スイッチが略均等に押し下げられないことがある。例えば、スイッチの幅方向の一端部を押した場合、一端部は他端部より深く押し下げられることがある。この場合、スイッチはアクチュエータを均等に屈曲させることが難しくなり、発電効率が低下する。つまり、スイッチを略均等に押し下げるための、スイッチの幅方向におけるスイッチを押す位置が限られており、操作性が低いという問題がある。特に、持ち運び可能な発電スイッチなど、向きが固定されていない発電スイッチである場合に操作性が低い。
【００１０】
そこで、本開示は、操作性が向上された発電スイッチを提供することを目的とする。
【００１１】
（本開示の概要）
上記目的を達成するために、本開示の一態様に係る発電スイッチは、ホルダ部と、前記ホルダ部に固定された固定端部と自由振動する自由端部とを有し、前記自由端部が自由振動することで電力を発生させる発電部であって、吸着体を有する発電部と、前記自由端部と前記固定端部とを結ぶ方向に延伸し、前記固定端部側の端部が軸支され、回動することで前記吸着体に磁力によって吸着される状態と、前記吸着される状態から解放される状態とをとる磁石を有するアーム部と、軸支における軸の方向から見た場合に、前記アーム部と交差するように前記自由端部と前記固定端部とを結ぶ方向に延伸し、前記自由端部側の端部が軸支され、回動することで前記アーム部を押し下げ回動させるレバー部と、押下された位置により前記アーム部及び前記レバー部の少なくとも一方を押し下げ回動させる天板と、を備える。
【００１２】
これにより、天板を操作し押し下げることで、アーム部を直接又はレバー部を介して回動させることができる。例えば、レバー部を備えていない場合、アーム部の固定端部側を操作することでアーム部を回動させることが難しかった。一方、本実施の形態に係る発電スイッチは、天板を操作する、自由端部及び固定端部を結ぶ方向と平行な方向の位置によらず、アーム部を回動させることができる。つまり、本実施の形態に係る発電スイッチによれば、操作性が向上する。
【００１３】
また、前記アーム部は、前記発電部が自由振動する方向から見たときに前記発電部と重ならない位置に配置され、前記軸の方向から見たときに所定の傾斜を有する傾斜部を有し、前記レバー部は、前記自由振動する方向から見たときに前記傾斜部と重なる位置であり、前記軸の方向から見たときに前記傾斜部より前記天板側に配置される突起部を有していてもよい。
【００１４】
これにより、天板によりレバー部が回動するとき、突起部が傾斜部を押し下げることができる。つまり、レバー部が回動することでアーム部を押し下げ回動させることができる。
【００１５】
また、前記突起部は、前記レバー部の前記自由端部側及び前記固定端部側のうちの前記自由端部側に配置されていてもよい。
【００１６】
これにより、ユーザが天板を操作しレバー部を回動させることでアーム部を押し下げ回動させるときに、突起部がレバー部の固定端部側に配置されている場合に比べ、ユーザは弱い力で操作してもアーム部を回動させることができる。
【００１７】
また、前記突起部の先端の形状は、前記軸の方向から見た場合に、曲率を有していてもよい。
【００１８】
これにより、第２の凸部と傾斜部との接触面積が小さくなるので、レバー部が回動し第２の凸部が傾斜部を摺動する際の摩擦抵抗を低減することができる。つまり、第２の凸部が傾斜部を摺動しやすくなる。よって、ユーザは、さらに弱い力で操作してもアーム部を回動させることができる。
【００１９】
また、前記アーム部及び前記レバー部が前記天板により押し下げられていない場合に、前記突起部と前記傾斜部とは当接していてもよい。
【００２０】
これにより、天板によりレバー部が押し下げられ回動を開始するときに、レバー部は傾斜部を介してアーム部の回動を開始させることができる。つまり、レバー部の回動と、レバー部を介したアーム部の回動とを、略同時に開始することができる。
【００２１】
また、前記アーム部の前記自由端部側及び前記レバー部の前記固定端部側のそれぞれは、前記天板と嵌合していてもよい。
【００２２】
これにより、アーム部及びレバー部と天板とが嵌合しているので、天板はアーム部及びレバー部を押し下げ回動させやすくなる。また、天板が発電スイッチから外れてしまうことを抑制できる。
【００２３】
また、前記アーム部は、前記自由端部と前記固定端部とを結ぶ方向に延伸し、互いに平行となって前記発電部を挟み、前記固定端部側の端部同士が軸支された一対のアームから構成され、前記レバー部は、前記アーム部と交差するように前記自由端部と前記固定端部とを結ぶ方向に延伸し、互いに平行となって前記発電部を挟み、前記自由端部側の端部同士が軸支された一対のアームから構成されてもよい。
【００２４】
これにより、天板を操作する、軸の方向と平行な方向の位置によらず、アーム部を回動させることができる。つまり、本実施の形態に係る発電スイッチによれば、さらに操作性が向上する。
【００２５】
また、前記発電部は、２つの圧電素子と、金属板とを有し、前記２つの圧電素子は、前記金属板を挟むように配置されていてもよい。
【００２６】
これにより、発電部が自由振動することで発電する電力を圧電素子が１つである場合より高くすることができる。
【００２７】
上記目的を達成するために、本開示の一態様に係る発電スイッチは、ホルダ部と、前記ホルダ部に固定された固定端部と自由振動する自由端部とを有し、前記自由端部が自由振動することで電力を発生させる発電部であって、吸着体を有する発電部と、前記自由端部と前記固定端部とを結ぶ方向に延伸し、互いに平行となって前記発電部を挟み、前記固定端部側の端部同士が軸支された一対のアーム、前記一対のアームの前記自由端部側の端部同士を接続する接続部、及び、前記一対のアームが回動することで前記吸着体に磁力によって吸着される状態と前記吸着される状態から開放される状態とをとる磁石を有するアーム部と、外方から前記自由端部側を見たときに、前記一対のアームのそれぞれの前記自由端部側の端部を結ぶ方向に延伸し、それぞれの一端部が軸支され他端部が前記一対のアームに取り付けられる２つの補強アームを有し、前記２つの補強アームのうちの一方の補強アームは前記一対のアームのうちの一方のアームが回動することで前記一方の補強アームが回動するように前記他端部が前記一方のアームに取り付けられ、他方の補強アームは前記一方の補強アームが回動することで前記一方の補強アームの回動の向きと逆向きに回動するように前記一方の補強アームに連結され、かつ前記他端部が他方のアームに取り付けられている補強アーム部と、を備える。
【００２８】
これにより、一方のアームが押し下げられ回動すると、補強アーム部を介して他方のアームが押し下げられ回動する。つまり、発電部の幅方向における撓みを略均一にすることができるので、発電部は安定した自由振動を行うことができる。よって、発電スイッチは安定して発電を行うことができる。言い換えると、本実施の形態に係る発電スイッチは、一対のアームの自由端部側を結ぶ方向と平行な方向の位置によらず、アーム部を略等しい角度で回動させることができる。つまり、本実施の形態に係る発電スイッチによれば、操作性が向上する。
【００２９】
また、前記一方の補強アームは、前記他方の補強アームと交差する位置において前記他方の補強アーム側に突出した凸部を有し、前記他方の補強アームは、前記凸部に対応した位置に凹部を有し、前記凸部の少なくとも一部は前記凹部内に挿入されてもよい。
【００３０】
これにより、２つの補強アームのうちの１つの補強アームが押し下げられた場合、残りの補強アームも押し下げることができる。
【００３１】
また、前記凸部は、前記外方から前記自由端部側を見たときの外形が、略円形であり、前記凹部は、前記外方から前記自由端部側を見たときの外形が、前記他方の補強アームの長尺方向が長軸となる略長円形であってもよい。
【００３２】
これにより、凸部と第３の開口部との接触面積を低減することができるので、凸部が第３の開口部を摺動しやすくなる。
【００３３】
また、さらに、前記アーム部の軸支における軸の方向から見たときに、前記アーム部と交差するように前記自由端部と前記固定端部とを結ぶ方向に延伸し、前記自由端部側の端部が軸支され、回動することで前記アーム部を押し下げ回動させる凸部を有するレバー部を備えていてもよい。
【００３４】
これにより、レバー部を押し下げた場合であっても、一対のアームを略等しい角度で回動させることができる。
【００３５】
また、さらに、押下された位置により前記アーム部及び前記レバー部の少なくとも一方を押し下げ回動させるように、前記アーム部及び前記レバー部を覆う位置に配置されている天板を備えていてもよい。
【００３６】
これにより、発電スイッチが天板を備えており、天板の操作される位置に関わらず、一対のアームを略等しい角度で回動させることができる。
【００３７】
また、前記発電部は２つの圧電素子と、金属板とを有し、前記２つの圧電素子は、前記金属板を挟むように配置されていてもよい。
【００３８】
これにより、発電部が自由振動することで発電する電力を圧電素子が１つである場合より高くすることができる。
【００３９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。また、各図は、模式図であり、必ずしも厳密に図示されたものではない。
【００４０】
また、以下の実施の形態で説明に用いられる図面においては座標軸が示される場合がある。Ｚ軸のマイナス側が設置面側、Ｚ軸のプラス側が操作面側を表している。また、Ｘ軸方向及びＹ軸方向は、Ｚ軸方向に垂直な平面上において、互いに直交する方向である。Ｘ−Ｙ平面は、発電スイッチが備える天板に平行な平面である。例えば、以下の実施の形態において、「平面視」とは、Ｚ軸方向から見ることを意味する。また、例えば、以下の実施の形態において、「断面視」とは、切断線を含む面で切断された発電スイッチを切断された面に対して垂直方向側から見ることを意味している。例えば、Ｙ軸とＺ軸とで規定された平面（切断線で切断された面の一例）で切断された場合、断面視とは当該断面をＸ軸方向側から見ることを意味している。
【００４１】
（実施の形態１）
以下、本実施の形態に係る発電スイッチ１０について、図１〜図１２を参照しながら説明する。
【００４２】
［１−１．発電スイッチの全体構成］
まずは、本実施の形態に係る発電スイッチ１０の構成について、図１〜図９を参照しながら説明する。
【００４３】
図１は、本実施の形態に係る発電スイッチ１０のボタン部１１側の外観を示す斜視図である。図２は、本実施の形態に係る発電スイッチ１０のケース部１２側の外観を示す斜視図である。
【００４４】
本実施の形態に係る発電スイッチ１０は、ボタン部１１が操作（例えば、押下）されることで発電が行われ、当該発電で発生した電力を用いて所定の信号を無線で送信するスイッチである。つまり、本実施の形態に係る発電スイッチ１０は、電池などを備えておらず、発電スイッチ１０が操作されるたびに発電を行うことで所定の信号を送信する。
【００４５】
所定の信号とは、一例として、発電スイッチ１０ごとに割り当てられる固有の識別情報を示す信号である。発電スイッチ１０は、家屋などに設置されている各種電気機器（例えば、照明装置、映像表示装置、電動カーテンなど）を制御する制御装置（図示しない）に所定の信号を送信する。例えば、制御装置において、発電スイッチ１０の識別情報と、照明装置をオンする制御とが対応付けられている場合、制御装置は発電スイッチ１０からの信号を取得すると、照明装置をオンする制御を行う。
【００４６】
また、本実施の形態に係る発電スイッチ１０は、ユーザにより持ち運びが可能なスイッチである。例えば、ユーザは机で作業しているときには机の上に発電スイッチ１０を置き、寝るときには布団の横に発電スイッチ１０を置くことができる。
【００４７】
図１及び図２に示すように、発電スイッチ１０は、ボタン部１１及びケース部１２を備える。ボタン部１１及びケース部１２は、発電スイッチ１０の外郭をなす。
【００４８】
次に、ボタン部１１及びケース部１２に収容される各構成要素について図３及び図４を参照しながら説明する。
【００４９】
図３は、図１からボタン部１１及びケース部１２を省略した状態での、本実施の形態に係る発電スイッチ１０の構成を示す斜視図である。図４は、図１からボタン部１１及びケース部１２を省略した状態での、本実施の形態に係る発電スイッチ１０の構成を示す分解斜視図である。
【００５０】
図３及び図４に示すように、本実施の形態に係る発電スイッチ１０は、ボタン部１１及びケース部１２を省略した状態において、発電装置２０、アーム部３０、レバー部４０、カバー部５０、及び、ボタン下部６０から構成される。
【００５１】
以下では、発電スイッチ１０を構成する各構成要素について、適宜図面を参照しながら説明する。
【００５２】
［１−１−１．ボタン部及びケース部］
ボタン部１１及びケース部１２について、図１及び図２を参照しながら説明する。
【００５３】
図１及び図２に示すように、ボタン部１１及びケース部１２はそれぞれ、有底形状を有し、ボタン部１１は上面部１１ａ及び上面部１１ａの外縁部からケース部１２側に立設する側面部１１ｂから構成され、ケース部１２は底面部１２ａ及び底面部１２ａの外縁部からボタン部１１側へ立設する側面部１２ｂから構成される。平面視において、ボタン部１１及びケース部１２は、４隅がＲ形状である略矩形状に形成される。例えば、ボタン部１１及びケース部１２は、４隅がＲ形状である略正方形状に形成される。
【００５４】
また、平面視において、ボタン部１１の大きさは、ケース部１２の大きさより大きい。つまり、ボタン部１１は、上面部１１ａがケース１２の底面部１２ａに対向しており、かつボタン部１１の側面部１１ｂがケース部１２の側面部１２ｂの一部を覆うように配置される。そして、ボタン部１１及びケース部１２で形成された空間には、後述する発電装置２０、アーム部３０、及び、レバー部４０などが収容される。
【００５５】
上面部１１ａは、ユーザが操作する操作面である。具体的には、ユーザは上面部１１ａを押下する。これにより、ボタン部１１は発電スイッチ１０が置かれる設置面側（本実施の形態では、Ｚ軸プラス側からＺ軸マイナス側）に押し下げられる。
【００５６】
ボタン部１１及びケース部１２は、樹脂材料から形成される。例えば、ボタン部１１及びケース部１２は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。なお、ボタン部１１及びケース部１２の材料は、これに限定されない。また、ボタン部１１とケース部１２とは、同一の材料で形成されてもよいし、異なる材料で構成されてもよい。また、ボタン部１１及びケース部１２は、有色な樹脂材料から形成されてもよい。つまり、ユーザは、ボタン部１１及びケース部１２により形成された空間に収容されている各構成要素を視認することができない。これにより、発電スイッチ１０の美観を向上させることができる。
【００５７】
図２に示すように、ケース部１２の底面部１２ａには３つの開口が形成されており、当該開口のそれぞれにネジ１３が取り付けられている。ケース部１２は、ネジ１３により後述する剛板２７（図５を参照）と螺合結合される。
【００５８】
なお、ケース部１２は、発電スイッチ１０が置かれる設置面（例えば、机面又は床面など）と接する。ケース部１２は、筐体の一例である。
【００５９】
なお、図３に示すボタン下部６０の天板６１とボタン部１１の上面部１１ａとが固定される。例えば、天板６１のＺ軸プラス側の面（図３では天板６１の上面）とボタン部１１の上面部１１ａのＺ軸マイナス側の面（図１では上面部１１ａの下面）とが接着テープなどにより接着されることで、ボタン下部６０とボタン部１１とが固定される。なお、ボタン下部６０とボタン部１１との固定は、接着テープによる固定に限定されず、ボタン部１１がボタン下部６０から離れないように固定されていればよい。例えば、ボタン下部６０とボタン部１１とはネジなどにより螺合結合されていてもよいし、その他の固定方法であってもよい。
【００６０】
［１−１−２．発電装置］
発電装置２０について、図３〜図６を参照しながら説明する。
【００６１】
図５は、本実施の形態に係る発電装置２０の構成を示す分解斜視図である。
【００６２】
図３及び図４に示すように、発電装置２０はボタン部１１及びケース部１２を省略した状態で、下側（Ｚ軸マイナス側）に配置される。
【００６３】
図５に示すように、発電装置２０は、ホルダ部２１、発電部２３、ネジ用ホルダ部２４、信号発信部２６及び剛板２７を備える。また、発電装置２０は、ホルダ部２１と剛板２７とを固定する、及び、発電部２３の一端部側とホルダ部２１とを固定するための固定部材を備える。本実施の形態では、発電装置２０は、固定部材として、ホルダ部２１と剛板２７とを螺合結合するためのネジ２２、及び、発電部２３の一端部側とホルダ部２１とを螺合結合するためのネジ２５を備える。なお、ホルダ部２１と剛板２７との固定、並びに、発電部２３とホルダ部２１との固定は、螺合結合に限定されない。つまり、固定部材は、ネジ２２及び２５に限定されない。例えば、ホルダ部２１と剛板２７とを、及び、発電部２３とホルダ部２１とを、接着剤を用いて固定してもよいし、その他の方法で固定してもよい。
【００６４】
ホルダ部２１は、第１のホルダ２１ａ、第２のホルダ２１ｂ、第１の凸部２１ｃ、第２の凸部２１ｄを有する。第１のホルダ２１ａ、第２のホルダ２１ｂ、第１の凸部２１ｃ及び第２の凸部２１ｄは、例えば一体形成されている。第１のホルダ２１ａと第２のホルダ２１ｂとは接続して形成されており、図５ではＹ軸プラス側に第１のホルダ２１ａが配置され、Ｙ軸マイナス側に第２のホルダ２１ｂが配置されている。
【００６５】
第１のホルダ２１ａは、第２のホルダ２１ｂに比べ厚み（Ｚ軸方向の長さ）が厚く、第１のホルダ２１ａは第２のホルダ２１ｂよりＺ軸プラス側に突出している。また、第１のホルダ２１ａには、２つの第１の開口部２１ｅが形成されている。第１の開口部２１ｅは、発電部２３をホルダ部２１（具体的には、第１のホルダ２１ａ）に固定するためのネジ穴である。例えば、ネジ２５により発電部２３がホルダ部２１に固定される。なお、第１のホルダ２１ａに固定された発電部２３は第２のホルダ２１ｂとは接していない。
【００６６】
第２のホルダ２１ｂには、１つの開口を有する第２の開口部２１ｆが形成されている。第２の開口部２１ｆは、剛板２７とホルダ部２１とを固定するためのネジ穴である。例えば、ネジ２２により剛板２７とホルダ部２１とが固定される。
【００６７】
上記により、ホルダ部２１の一方の面（図５に示すＺ軸プラス側の面）には発電部２３が固定され、一方の面と背向する他方の面（図５に示すＺ軸マイナス側の面）には剛板２７が固定される。
【００６８】
第１の凸部２１ｃは、第１のホルダ２１ａの側方からＸ軸方向に突出するように形成されている。第１の凸部２１ｃは、第１のホルダ２１ａのＸ軸プラス側の端部からＸ軸プラス側に突出する凸部、及び、第１のホルダ２１ａのＸ軸マイナス側の端部からＸ軸マイナス側に突出する凸部とから構成される。Ｘ軸方向から見た場合、第１の凸部２１ｃの外形は、上下方向（言い換えると、Ｚ軸方向）が長軸となる略長円形状である。第１の凸部２１ｃは、後述するアーム部３０を回動させるための回転軸である。
【００６９】
第２の凸部２１ｄは、第２のホルダ２１ｂの側方からＸ軸方向に突出するように形成されている。第２の凸部２１ｄは、第２のホルダ２１ｂのＸ軸プラス側の端部からＸ軸プラス側に突出する凸部、及び、第２のホルダ２１ｂのＸ軸マイナス側の端部からＸ軸マイナス側に突出する凸部とから構成される。例えば、第２の凸部２１ｄは、第２のホルダ２１ｂの第１のホルダ２１ａと逆側の端部に形成される。Ｘ軸方向から見た場合、第２の凸部２１ｄの外形はＺ軸マイナス方向側に円弧を有する略半円形状である。第２の凸部２１ｄは、後述するレバー部４０を回動させるための回転軸である。
【００７０】
ホルダ部２１は、樹脂材料から構成される。例えば、ホルダ部２１は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。
【００７１】
発電部２３は、磁性体板２３ａ及び圧電素子２３ｆ，２３ｆ（図６参照）を有し、屈曲振動することで圧電効果により電圧を発生する。発電部２３は、平板状に形成されており、一端部側に２つの開口部２３ｂが形成されている。開口部２３ｂは、発電部２３をホルダ部２１に固定するための開口である。例えば、ネジ用ホルダ部２４を介してネジ２５により発電部２３とホルダ部２１（具体的には第１のホルダ２１ａ）とが螺合結合される。つまり、発電部２３は、一端部（本実施の形態では、Ｙ軸プラス側の端部）が固定される固定端部２３ｃであり、他端部（本実施の形態では、Ｙ軸マイナス側の端部）が自由端部２３ｄである片持ち梁構造を有する。そして、発電部２３は、自由端部２３ｄが自由振動することにより発電する。つまり、発電部２３は、ホルダ部２１に固定された固定端部２３ｃと自由振動する自由端部２３ｄとを有し、自由端部２３ｄが自由振動することで電力を発生させる。
【００７２】
また、磁性体板２３ａは、磁性体材料によって形成され、自由端部２３ｄ側の端部に固定される。後述するアーム部３０が有する磁石３８（図４参照）を磁力により吸着する吸着体の一例である。
【００７３】
磁性体板２３ａは、発電部２３の自由端部２３ｄ側の先端に固定されてもよい。これにより、磁性体板２３ａは、発電部２３の錘を兼ねることができる。
【００７４】
ここで、発電部２３の構造について、図６を参照しながら説明する。
【００７５】
図６は、図５のＶＩ−ＶＩ線における、本実施の形態に係る発電部２３の部分断面図である。
【００７６】
発電部２３は、薄板状の金属板２３ｅと、当該金属板２３ｅの少なくとも一方の面に配置された圧電素子とから構成される。図６に示すように、本実施の形態では、発電部２３は、薄板状の金属板２３ｅと、当該金属板２３ｅの両面に配置される薄板状の圧電素子２３ｆ及び２３ｇとを有する。具体的には、圧電素子２３ｆは金属板２３ｅの信号発信部２６側に配置されており、圧電素子２３ｇは金属板２３ｅのホルダ部２１側に配置されている。つまり、発電部２３は２つの圧電素子２３ｆ及び２３ｇを有し、２つの圧電素子２３ｆ及び２３ｇは金属板２３ｅを挟むように配置されている。例えば、圧電素子２３ｇ、金属板２３ｅ及び圧電素子２３ｆはこの順に接触して積層されている。これにより、圧電素子が１つである場合に比べ、自由振動により高い電力を発生させることができる。
【００７７】
金属板２３ｅは、ばね材料によって形成されている。金属板２３ｅとしては、例えばステンレスなどの金属材料を用いることができる。
【００７８】
圧電素子２３ｆは、金属板２３ｅからＺ軸プラス側に向かって、電極２３ｈ、圧電体２３ｉ及び電極２３ｊの順に接触して積層されている。また。圧電素子２３ｇは、金属板２３ｅからＺ軸マイナス側に向かって、電極２３ｈ、圧電体２３ｉ及び電極２３ｊの順に接触して積層されている。電極２３ｈ及び２３ｊは、圧電体２３ｉで発生した電圧を取り出すための電極である。なお、電極２３ｈ及び２３ｊは、金属材料で構成されてもよいし、酸化物導電体材料で構成されてもよい。
【００７９】
なお、圧電素子２３ｆの電極２３ｈと圧電素子２３ｇの電極２３ｈとは同一の極性の電極である。また、圧電素子２３ｆの電極２３ｊと圧電素子２３ｇの電極２３ｊとは同一の極性であり、かつ電極２３ｈとは逆極性の電極である。例えば、電極２３ｊが正極である場合、電極２３ｈは負極であり、電極２３ｊが負極である場合、電極２３ｈは正極である。発電部２３で生成された電力は、電力線（図示しない）などを介して信号発信部２６に出力される。
【００８０】
なお、図示しないが、発電部２３は整流器及び電圧調整器などを有していてもよい。自由端部２３ｄの自由振動により発生する交流電力は、整流回路及びコンデンサを有する整流器などにより直流電力に変換され、貯蔵される。直流電力の電圧は数十Ｖであり、一例として約５０Ｖである。そして、ＤＣ−ＤＣコンバータなどの電圧調整器により、信号発信部２６に過大な電圧が印加されないように降圧が行われる。例えば、電圧調整器により３Ｖ程度まで降圧され、当該降圧された電力は信号発信部２６が信号を発信するための電力として使用される。
【００８１】
ここで、図５を再び参照する。信号発信部２６は、発電部２３から電力が供給されると、当該電力を用いて予め定められた信号を無線で送信する装置である。言い換えると、信号発信部２６は、発電部２３から供給された電力によってのみ動作する。なお、無線通信は、一例としてＺｉｇＢｅｅ（登録商標）の通信規格を用いた無線通信であるが、これに限定されず、無線ＬＡＮ（例えば、Ｗｉ−Ｆｉ（登録商標））などの通信規格を用いた無線通信であってもよい。
【００８２】
信号発信部２６は、基板２６ａ、シールドケース２６ｂ及びアンテナ２６ｃを有する。
【００８３】
基板２６ａは、信号を発信するための送信用ＩＣ（Ｉｎｔｅｇｒａｔｅｄ  Ｃｉｒｃｕｉｔ）を含む電気回路が実装された基板である。例えば、送信用ＩＣは発電部２３から電力が供給されると、所定の信号を生成しアンテナ２６ｃを介して送信する制御を行う。なお、上記でも記載したように、所定の信号とは、発電スイッチ１０ごとに固有の識別情報を示す情報などである。つまり、発電装置２０から電力が供給されるたびに、送信用ＩＣは同じ信号を送信する制御を行う。また、基板２６ａには発電部２３からの電力の供給を受けるための電線対基板用コネクタなどが実装されてもよい。
【００８４】
シールドケース２６ｂは、金属材料等により形成され、基板２６ａに固定される。シールドケース２６ｂは、電気回路を静電気や外電波ノイズ等から保護するために、回路上の接地電位に接続される。
【００８５】
アンテナ２６ｃは、基板２６ａで生成された信号を送信する送信部である。アンテナ２６ｃは、例えば金属材料から形成される。また、アンテナ２６ｃは、基板２６ａの電気回路と電気的に接続されている。アンテナ２６ｃは、基板２６ａを平面視したときに、基板２６ａの固定端部２３ｃ側の端辺と対向するように配置される。
【００８６】
剛板２７は、ホルダ部２１に固定される錘である。剛板２７は、例えば、金属製の板である。剛板２７は、ホルダ部２１に対して発電部２３と反対側に配置される。剛板２７は、例えば、ステンレスなどの非磁性体材料によって形成される。剛板２７の厚みは特に限定されないが、一例として約２ｍｍ程度である。なお、剛板２７は、磁性体材料によって形成されてもよい。
【００８７】
発電部２３が自由振動する際、当該自由振動は減衰しにくい方がよい。ホルダ部２１に剛板２７を固定することで発電装置２０（発電スイッチ１０）が重くなり、発電部２３の自由振動を長く維持させることが可能となる。つまり、発電部２３の自由振動の減衰を抑制することができるので、発電装置２０の発電効率が向上する。
【００８８】
また、剛板２７には、第１の開口部２７ａ、第２の開口部２７ｂ、及び第３の開口部２７ｃが形成されている。例えば、第１の開口部２７ａ、第２の開口部２７ｂ、及び、第３の開口部２７ｃには、ネジタップが切ってあってもよい。
【００８９】
第１の開口部２７ａは、ケース部１２を剛板２７に固定するためのネジ穴であり、剛板２７の自由端部２３ｄ側（言い換えると、Ｙ軸マイナス側）に１つ、及び、剛板２７の固定端部２３ｃ側（言い換えると、Ｙ軸プラス側）に２つ形成されている。なお、上記および以下の記載において、自由端部２３ｄ側および固体端部２３ｃ側は、それぞれ発電部２３の自由端部２３ｄの側に対応する側および発電部２３の固定端部２３ｃの側に対応する側を意味する。また、上記でも説明したように、ケース部１２の底面部１２ａには３つのネジ穴が形成されている。平面視において、ケース部１２の底面部１２ａに形成されているネジ穴のそれぞれと、第１の開口部２７ａのそれぞれとは重なる位置に形成されており、ケース部１２と剛板２７とがネジ１３により固定される。
【００９０】
第２の開口部２７ｂは、ホルダ部２１を剛板２７に固定するためのネジ穴であり、１つ形成されている。また、上記でも説明したように、ホルダ部２１の第２のホルダ２１ｂに第２の開口部２１ｆが形成されている。平面視において、第２の開口部２７ｂと第２の開口部２１ｆとは重なる位置に形成されており、ホルダ部２１と剛板２７とがネジ２２により固定される。
【００９１】
第３の開口部２７ｃは、発電部２３の固定端部２３ｃ、ホルダ部２１及び剛板２７を共通の固定部材で固定するためのネジ穴であり、剛板２７の固定端部２３ｃ側に２つ形成されている。また、上記でも説明したように、発電部２３には２つのネジ穴を有する開口部２３ｂ、ホルダ部２１の第１のホルダ２１ａには２つのネジ穴を有する第１の開口部２１ｅが形成されている。平面視において、第３の開口部２７ｃ、開口部２３ｂ、及び、第１の開口部２１ｅはそれぞれ重なる位置に形成されており、固定端部２３ｃ、ホルダ部２１、及び、剛板２７がネジ２５により固定される。例えば、発電部２３の固定端部２３ｃ、ホルダ部２１の第１のホルダ２１ａ、及び、剛板２７は、この順に接触して重なり、ネジ２５により固定される。なお、ネジ２５は、固定端部２３ｃ、ホルダ部２１及び剛板２７を固定する共通の固定部材の一例である。
【００９２】
上記したように、剛板２７はホルダ部２１及びケース部１２の双方と固定される。そのため、剛板２７は、ホルダ部２１に対して発電部２３とは逆側の面に配置されるとよい。
【００９３】
なお、固定端部２３ｃ及びホルダ部２１をネジにより剛板２７に固定しない場合、剛板２７に第１の開口部２７ａ、第２の開口部２７ｂ及び第３の開口部２７ｃは形成されなくてもよい。
【００９４】
ここで、ホルダ部２１と剛板２７との固定について、図７を参照しながらさらに詳細に説明する。
【００９５】
図７は、本実施の形態に係るホルダ部２１と剛板２７との固定状態を説明するための分解斜視図である。
【００９６】
図７に示すように、ホルダ部２１の剛板２７側の面には、剛板２７の形状に対応した凹部２１ｇが形成されている。剛板２７はホルダ部２１の凹部２１ｇに嵌め込まれ、ネジ２２により固定される。また、凹部２１ｇの厚み（Ｚ軸方向の長さ）は、剛板２７の厚みと略等しい。このため、剛板２７が凹部２１ｇに収容されたホルダ部２１の剛板２７側の面は、平滑な面となる。
【００９７】
［１−１−３．アーム部］
アーム部３０について、図３、図４及び図８を参照しながら説明する。
【００９８】
図３に示すように、アーム部３０は、ボタン下部６０に覆われている。これにより、ボタン下部６０が押し下げられることで、アーム部３０を押し下げ回動させることが可能となる。
【００９９】
図４に示すように、アーム部３０は、アーム３１ａ、アーム３１ｂ、第１の接続部３２、第２の接続部３３、及び、磁石３８から構成される。また、アーム３１ａ及び３１ｂそれぞれの自由端部２３ｄ側（Ｙ軸マイナス側）には第１の開口部３４が形成されている。アーム３１ａ及び３１ｂそれぞれの自由端部２３ｄ側の端部と固定端部２３ｃ側（Ｙ軸プラス側）の端部との間には第２の開口部３５が形成されている。アーム３１ａ及び３１ｂそれぞれの固定端部２３ｃ側には第３の開口部３６が形成されている。
【０１００】
アーム３１ａ及び３１ｂは、発電部２３の自由端部２３ｄと固定端部２３ｃとを結ぶ方向に延伸し、互いに略平行に配置されている。アーム３１ａ及び３１ｂはそれぞれ、平面視において、自由端部２３ｄと固定端部２３ｃとを結ぶ方向と直交する方向から、互いに平行となって発電部２３を挟むように配置される。なお、自由端部２３ｄと固定端部２３ｃとを結ぶ方向とは、本実施の形態では、Ｙ軸に平行な方向である。また、自由端部２３ｄと固定端部２３ｃとを結ぶ方向と直交する方向とは、本実施の形態ではＸ軸に平行な方向である。
【０１０１】
アーム３１ａ及び３１ｂの自由端部２３ｄ側の端部は、ボタン下部６０に固定される。具体的には、アーム３１ａ及び３１ｂに形成されている第１の開口部３４と、ボタン下部６０に形成されている第１の凸部６３（図９を参照）とが嵌合することにより、アーム部３０とボタン下部６０とが取り付けられる。
【０１０２】
アーム３１ａ及び３１ｂの固定端部２３ｃ側の端部同士は、発電装置２０に回動可能に取り付けられる。具体的には、アーム３１ａ及び３１ｂそれぞれに形成されている第３の開口部３６は第１の凸部２１ｃに対応する形状を有し、第３の開口部３６と第１の凸部２１ｃとが嵌合することで、アーム部３０は第１の凸部２１ｃに軸支される。これにより、アーム部３０は第１の凸部２１ｃを回転軸として発電装置２０に対して回動可能に取り付けられる。例えば、Ｘ軸方向から見た場合、第３の開口部３６及び第１の凸部２１ｃの外形は略円形状である。
【０１０３】
また、アーム３１ａ及び３１ｂの固定端部２３ｃ側の端部には、平面視において発電スイッチ１０の外方に向けて突出する第１の凸部３７が形成されている。具体的には、アーム３１ａの固定端部２３ｃ側の端部からアーム３１ｂとは逆側（言い換えると、Ｘ軸プラス側）に向けて突出する第１の凸部３７が形成され、アーム３１ｂの固定端部２３ｃ側の端部からアーム３１ａとは逆側（言い換えると、Ｘ軸マイナス側）に向けて突出する第１の凸部３７が形成されている。アーム３１ａ及び３１ｂに形成される第１の凸部３７は、後述するレバー部４０に形成される第１の開口部４４と嵌合する。なお、第１の凸部２１ｃにより軸支されている軸の方向（本実施の形態ではＸ軸と平行な方向であり、以降では軸の方向とも記載する）から第１の凸部３７を見た場合、第１の凸部３７の外形は略円形状である。
【０１０４】
上記のように、アーム部３０がボタン下部６０及び発電装置２０に取り付けられ、ボタン部１１が押下されボタン下部６０がアーム部３０を押し下げることで、アーム部３０は第１の凸部２１ｃを軸として回動する。アーム部３０は、ボタン下部６０により押し下げられることで、Ｚ軸マイナス方向に回動する。本実施の形態では、アーム部３０は、平面視において発電スイッチ１０の外方からアーム３１ａを見た場合（言い換えると、Ｘ軸プラス側からＸ軸マイナス側を見た場合）にボタン下部６０により押し下げられることで反時計回りに回動する。なお、アーム３１ａ及び３１ｂは、アーム部３０が有する一対のアームの一例である。
【０１０５】
第２の開口部３５には、後述するレバー部４０の第１の凸部４６が嵌合する。
【０１０６】
第１の接続部３２は、アーム３１ａ及び３１ｂの自由端部２３ｄ側の端部同士を接続する。第１の接続部３２は、アーム３１ａ及び３１ｂの自由端部２３ｄ側の端部同士を結ぶ方向に延伸して形成される。これにより、ボタン部１１のアーム３１ａ側がユーザにより操作された場合、アーム３１ｂは、第１の接続部３２を介してアーム３１ａと同じ方向に回動する。
【０１０７】
第２の接続部３３は、アーム３１ａ及び３１ｂの固定端部２３ｃ側の端部同士を接続する。第２の接続部３３は、アーム３１ａ及び３１ｂの固定端部２３ｃ側の端部同士を結ぶ方向に延伸して形成される。
【０１０８】
磁石３８は、アーム３１ａ及び３１ｂの自由端部２３ｄ側の端部に配置される。具体的には、磁石３８は、第１の接続部３２と所定の間隔を空けて、第１の接続部３２より発電装置２０側に配置される。これにより、第１の接続部３２と磁石３８との間には、空間が形成される。アーム部３０が発電装置２０に取り付けられたときに、第１の接続部３２と磁石３８との間の空間には、発電部２３の自由端部２３ｄ側の端部が配置される。つまり、磁石３８は、磁石３８と第１の接続部３２とで発電部２３の自由端部２３ｄ側の端部を挟むようにアーム３１ａ及び３１ｂの自由端部２３ｄ側の端部に配置される。
【０１０９】
また、磁石３８は、平面視において、発電部２３の自由端部２３ｄ側の端部に配置されている磁性体板２３ａと重なる位置に配置される。例えば、磁石３８は、発電部２３が撓んでいない状態（具体的には、ユーザがボタン部１１を操作していない状態であり、以降では初期状態とも記載する）において、発電部２３の自由端部２３ｄ側の端部と接触するように配置される。言い換えると、磁石３８は、初期状態では、磁性体板２３ａに磁力によって吸着されている。
【０１１０】
続いて、アーム部３０に形成される傾斜部３９について図８を参照しながら説明する。
【０１１１】
図８は、本実施の形態に係るアーム部３０の外観を示す平面図である。具体的には、ボタン下部６０側からアーム部３０を見たときの平面図である。なお、図８には、破線で発電部２３を図示している。
【０１１２】
図８に示すように、アーム３１ａ及びアーム３１ｂの中央付近にそれぞれ傾斜部３９が形成される。例えば、傾斜部３９は、平面視において発電部２３と重ならない位置に形成される。さらに、傾斜部３９は、軸の方向から見た場合に、所定の傾斜を有するように形成されている。軸の方向から見た場合に、傾斜部３９は、固定端部２３ｃ側から自由端部２３ｄ側に向けて、天板６１から遠ざかるように傾斜している（図１２を参照）。
【０１１３】
アーム部３０は、樹脂材料から構成される。例えば、アーム部３０は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。例えば、アーム部３０を構成する各構成要素は、一体的に形成されてもよい。
【０１１４】
［１−１−４．レバー部］
次に、レバー部４０について、図３及び図４を参照しながら説明する。
【０１１５】
図３に示すように、レバー部４０は、ボタン下部６０に覆われている。これにより、ボタン下部６０が押し下げられることで、レバー部４０を押し下げ回動させることが可能となる。
【０１１６】
図４に示すように、レバー部４０は、アーム４１ａ、アーム４１ｂ、第１の接続部４２、及び、第２の接続部４３から構成される。また、アーム４１ａ及び４１ｂそれぞれの固定端部２３ｃ側には第１の開口部４４、及び、第２の開口部４５が形成されている。第２の開口部４５は、第１の開口部４４よりボタン下部６０側の位置に形成されている。
【０１１７】
アーム４１ａ及び４１ｂは、発電部２３の自由端部２３ｄと固定端部２３ｃとを結ぶ方向に延伸し、互いに略平行に配置されている。アーム４１ａ及び４１ｂはそれぞれ、平面視において、自由端部２３ｄと固定端部２３ｃとを結ぶ方向と直交する方向から、互いに平行となって発電部２３を挟むように配置される。なお、軸の方向から見た場合にアーム４１ａ及び４１ｂは、アーム部３０（具体的には、アーム３１ａ及び３１ｂ）と交差するように配置される。
【０１１８】
アーム４１ａ及び４１ｂの固定端部２３ｃ側の端部は、ボタン下部６０に固定される。具体的には、アーム４１ａ及び４１ｂに形成されている第２の開口部４５と、ボタン下部６０に形成されている第２の凸部６４（図９を参照）とが嵌合することで、レバー部４０とボタン下部６０とが取り付けられる。
【０１１９】
アーム４１ａ及び４１ｂに形成されている第１の開口部４４には、上記で説明したアーム部３０に形成されている第１の凸部３７が嵌合される。また、アーム４１ａ及び４１ｂには、平面視において発電スイッチ１０の外方に向けて突出する第１の凸部４６が形成されている。具体的には、アーム３１ａの第２の開口部３５に対応するアーム４１ａの位置に、アーム４１ｂと逆側（言い換えると、Ｘ軸プラス側）に向けて突出する第１の凸部４６が形成され、アーム３１ｂの第２の開口部３５に対応するアーム４１ｂの位置に、アーム４１ａと逆側（言い換えると、Ｘ軸マイナス側）に向けて突出する第１の凸部４６が形成されている。アーム４１ａ及び４１ｂに形成されている第１の凸部４６は、第２の開口部３５と嵌合する。これにより、レバー部４０とアーム部３０とが取り付けられる。なお、軸の方向から第１の凸部４６を見た場合、第１の凸部４６の外形は略円形状である。
【０１２０】
また、アーム４１ａ及び４１ｂの自由端部２３ｄ側の端部同士は、発電装置２０に回動可能に取り付けられる。具体的には、アーム４１ａ及び４１ｂの自由端部２３ｄ側の端部には、平面視において発電装置２０の第２の凸部２１ｄの略半円形状に対応した湾曲形状を有する湾曲部４７が形成されている。湾曲部４７は、第２の凸部２１ｄと当接するように配置される。
【０１２１】
上記のように、レバー部４０がボタン下部６０及び発電装置２０に取り付けられ、ボタン部１１が押下されボタン下部６０がレバー部４０を押し下げることで、レバー部４０は第２の凸部２１ｄを軸として回動する。レバー部４０は、ボタン下部６０により押し下げられることで、Ｚ軸マイナス側に回動する。本実施の形態では、レバー部４０は、平面視において発電スイッチ１０の外方からアーム４１ａを見た（言い換えると、Ｘ軸プラス側からＸ軸マイナス側を見た）場合、ボタン下部６０により押し下げられることで時計回りに回動する。つまり、ボタン下部６０により押し下げられた場合、レバー部４０はアーム部３０と逆向きに回動する。なお、アーム４１ａ及び４１ｂは、レバー部４０が有する一対のアームの一例である。
【０１２２】
また、アーム４１ａ及び４１ｂは、平面視において傾斜部３９と重なる位置に、傾斜部３９に向かう方向（言い換えると、Ｚ軸マイナス方向）に突出する第２の凸部４８を有する。つまり、第２の凸部４８は、軸の方向から見た場合に、傾斜部３９より天板６１側に形成される。第２の凸部４８の詳細は、後述する。なお、第２の凸部４８は、突起部の一例である。
【０１２３】
レバー部４０は、樹脂材料から構成される。例えば、レバー部４０は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。例えば、レバー部４０を構成する各構成要素は、一体的に形成されてもよい。
【０１２４】
［１−１−５．カバー部］
次に、カバー部５０について、図４を参照しながら説明する。
【０１２５】
図４に示すように、カバー部５０は、アーム部３０及びレバー部４０を覆うように配置される。カバー部５０は、発電装置２０、アーム部３０及びレバー部４０を嵌合し接続した接続体を、ケース部１２（図１参照）に収容するときに、ボタン部１１（図１参照）側から接続体を覆う部材である。カバー部５０は、ケース部１２の側面部１２ｂとカバー部５０の側面部とが嵌合することでケース部１２に固定される。
【０１２６】
また、カバー部５０には、アーム部３０の自由端部２３ｄ側の端部、及び、レバー部４０の固定端部２３ｃ側の端部に対応する位置に開口を有する。これにより、アーム部３０とボタン下部６０、及び、レバー部４０とボタン下部６０との接続が可能となる。
【０１２７】
カバー部５０は、樹脂材料から構成される。例えば、カバー部５０は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。
【０１２８】
なお、ケース部１２は、カバー部５０がケース部１２に固定された状態で、発電装置２０、並びに、アーム部３０及びレバー部４０の一部を収容する。
【０１２９】
［１−１−６．ボタン下部］
次に、ボタン下部６０について、図３、図４及び図９を参照しながら説明する。
【０１３０】
図３に示すように、ボタン下部６０は、アーム部３０及びレバー部４０を覆うように配置される。
【０１３１】
図４に示すように、ボタン下部６０は、天板６１及び側面部６２から構成される。ボタン下部６０の平面視形状は、角が欠けた略矩形状である。
【０１３２】
天板６１は、ボタン部１１の上面部１１ａと略平行に形成される。例えば、天板６１と上面部１１ａとが接着テープなどにより接着されることで、ボタン下部６０とボタン部１１とが固定される。つまり、ユーザがボタン部１１（具体的には、ボタン部１１の上面部１１ａ）を押下すると、ボタン下部６０はボタン部１１とともに押し下げられる。
【０１３３】
ここで、天板６１とアーム部３０及びレバー部４０との接続について、図９を参照しながら説明する。
【０１３４】
図９は、本実施の形態に係るボタン下部６０の外観を示す平面図である。具体的には、発電装置２０側からボタン下部６０側を見たときの平面図である。
【０１３５】
図９に示すように、ボタン下部６０の天板６１の自由端部２３ｄ側（Ｙ軸マイナス側）には、第１の凸部６３が形成され、固定端部２３ｃ側（Ｙ軸プラス側）には第２の凸部６４が形成されている。
【０１３６】
第１の凸部６３は、アーム部３０とボタン下部６０とを取り付けるための凸部である。具体的には、アーム部３０の第１の開口部３４と第１の凸部６３とが嵌合されることで、アーム部３０とボタン下部６０とが取り付けられる。
【０１３７】
第２の凸部６４は、レバー部４０とボタン下部６０とを取り付けるための凸部である。具体的には、レバー部４０の第２の開口部４５に第２の凸部６４が挿通されることで、レバー部４０とボタン下部６０とが取り付けられる。
【０１３８】
このようにアーム部３０及びレバー部４０が取り付けられたボタン下部６０が、ボタン部１１の操作により押し下げられる場合について説明する。ボタン部１１の自由端部２３ｄ側が押下されると、主にボタン部１１及びボタン下部６０の自由端部２３ｄ側が押し下げられる。これにより、天板６１の自由端部２３ｄ側に接続されているアーム部３０が押し下げられ、アーム部３０は第１の凸部２１ｃを回転軸として回動する。また、ボタン部１１の固定端部２３ｃ側が押下されると、主にボタン部１１及びボタン下部６０の固定端部２３ｃ側が押し下げられる。これにより、天板６１の固定端部２３ｃ側に接続されているレバー部４０が押し下げられ、レバー部４０は第２の凸部２１ｄを回転軸として回動する。
【０１３９】
なお、ボタン部１１の中央部が押下されると、アーム部３０及びレバー部４０の双方が押し下げられ、双方が回動する。つまり、天板６１は、ボタン部１１が押下される位置によりアーム部３０及びレバー部４０の少なくとも一方を押し下げ回動させるように、アーム部３０及びレバー部４０を覆う位置に配置される。
【０１４０】
ここで、図４を再び参照する。側面部６２は、天板６１の端部から発電装置２０側に立設して形成されている。側面部６２の４隅には、発電装置２０側に突出した爪部６２ａが形成されている。爪部６２ａは、ケース部１２とボタン下部６０とを取り付けるための凸部である。爪部６２ａに対応するケース部１２の側面部の位置には、凹部（図示しない）が形成されており、爪部６２ａが凹部に引っかかることで、ボタン下部６０がケース部１２から外れることを抑制する。さらに、凹部はボタン下部６０が押し込まれケース部１２側に移動することが可能なように形成されている。
【０１４１】
ボタン下部６０は、樹脂材料から構成される。例えば、ボタン下部６０は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。例えば、ボタン下部６０を構成する各構成要素は、一体的に形成されてもよい。
【０１４２】
上記のように、本実施の形態に係る発電スイッチ１０は、固定端部２３ｃ側の端部が軸支されたアーム部３０と、アーム部３０と交差し自由端部２３ｄ側の端部が軸支されたレバー部４０とを備える。そして、詳細は後述するが、レバー部４０は回動するときにアーム部３０を押し下げ回動させる。
【０１４３】
［１−２．発電スイッチの動作］
次に、本実施の形態に係る発電スイッチ１０が操作された際の動作について、図１０〜図１２を参照しながら説明する。
【０１４４】
まず、ボタン部１１が操作されることで、発電装置２０が発電することについて、図１０を参照しながら説明する。
【０１４５】
図１０は、本実施の形態に係るアーム部３０が回動することで発電部２３が発電することを説明するための断面図である。なお、図１０では、ホルダ部２１が有する第１の凸部２１ｃ、ネジ用ホルダ部２４、ネジ２５及びアーム部３０（具体的には、アーム３１ｂ、第１の接続部３２及び磁石３８）を図示している。
【０１４６】
図１０の（ａ）は、ボタン部１１が操作される前の状態を示している。つまり、初期状態を示している。
【０１４７】
図１０の（ａ）に示すように、初期状態では、発電部２３は撓んでいない。また、発電部２３の自由端部２３ｄ側（Ｙ軸マイナス側）の端部には、磁石３８が当接して配置される。本実施の形態では、磁石３８は、発電部２３に対して磁性体板２３ａとは逆側の面に当接して配置される。この状態は、磁石３８が磁性体板２３ａに吸着されている状態である。なお、磁性体板２３ａは、自由端部２３ｄのＺ軸マイナス側の面に配置されていてもよい。この場合、磁性体板２３ａと磁石３８とが磁力により吸着し、磁性体板２３ａと磁石３８とが当接して配置される。
【０１４８】
図１０の（ｂ）は、ボタン部１１の自由端部２３ｄ側が操作されたときの発電部２３の撓みを示す図である。
【０１４９】
図１０の（ｂ）に示すように、ボタン部１１の自由端部２３ｄ側が操作される（図中の矢印を参照）と、アーム部３０（図１０の（ｂ）ではアーム３１ｂ）が回動するので、アーム部３０の自由端部２３ｄ側に固定されている磁石３８も回動する。そして、磁石３８と磁性体板２３ａとは磁力により吸着しているので、磁石３８の回動に伴い発電部２３の自由端部２３ｄ側が磁石３８の回動の向きに撓む。
【０１５０】
図１０の（ｃ）は、磁石３８が発電部２３から引き離されたときの発電部２３の自由振動を示す図である。
【０１５１】
図１０の（ｃ）に示すように、磁石３８と磁性体板２３ａとの磁力による吸引力より撓みによる反力の方が大きくなると、磁石３８と発電部２３とは引き離され、発電部２３は自由振動を開始する。つまり、磁石３８は、磁性体板２３ａに吸着される状態から解放される状態になる。また、自由振動により発電部２３は発電する。なお、図１０の（ｃ）では、自由振動している発電部２３の一例を破線で示している。
【０１５２】
なお、『Ｚ軸方向から見る（言い換えると、平面視する）』ことを、『自由振動する方向から見る』と記載する場合がある。
【０１５３】
上記したように、本実施の形態に係る発電スイッチ１０はアーム部３０が回動することで発電部２３が自由振動し、発電する。そのため、電池などを用いることなく発電部２３が発電した電力を用いて、所定の信号を送信することができる。
【０１５４】
続いて、アーム部３０及びレバー部４０の動作の概略について、図１１を参照しながら説明する。なお、図１１では、ボタン部１１、ケース部１２、及び、ボタン下部６０などを省略して図示している。
【０１５５】
図１１は、本実施の形態に係るボタン部１１が操作されたときのアーム部３０及びレバー部４０の動作の概略を示す図である。具体的には、図１１の（ａ）は、ボタン部１１が操作される前のアーム部３０及びレバー部４０の状態を示す図である。なお、ボタン部１１が操作される前とは、初期状態である。図１１の（ｂ）は、ボタン部１１が操作され、アーム部３０及びレバー部４０がそれぞれ回動したときのアーム部３０及びレバー部４０の状態を示す図である。図１１の（ｂ）に示すように、本実施の形態に係る発電スイッチ１０は、ボタン部１１が操作されると、平面視において発電スイッチ１０の外方からアーム４１ａを見る向き（言い換えると、Ｘ軸プラス側からＸ軸マイナス側へ向かう向き）にアーム４１ａを見たときに、アーム４１ａは第１の凸部２１ｃを回転軸として反時計回りに回動し、レバー部４０は第２の凸部２１ｄを回転軸として時計回りに回動する。
【０１５６】
さらに、アーム部３０及びレバー部４０の動作の詳細について、説明する。
【０１５７】
まず、ボタン部１１の自由端部２３ｄ側が操作されたときは、図１０を参照しながら説明したようにアーム部３０が回動し磁石３８が磁性体板２３ａとの磁力による吸着から解放されることで、発電部２３が自由振動し発電する。
【０１５８】
続いて、ボタン部１１の固定端部２３ｃ側が操作されたときについて、図１２を参照しながら説明する。
【０１５９】
図１２は、図１１の状態における、本実施の形態に係る発電スイッチ１０の概略断面図であり、ボタン部１１の固定端部２３ｃ側が操作されたときのアーム部３０及びレバー部４０の状態を示す。なお、図１２では、ボタン下部６０も図示している。
【０１６０】
図１２の（ａ）は、図１１の（ａ）のＸＩＩａ−ＸＩＩａ線における、本実施の形態に係る発電スイッチ１０の概略断面図であり、ボタン部１１が操作される前の発電スイッチ１０の状態を示す概略断面図である。
【０１６１】
図１２の（ａ）に示すように、ボタン部１１が操作される前、つまりボタン下部６０が押し下げられていない初期状態で、アーム部３０の傾斜部３９は、天板６１に対して所定の傾斜を有する。所定の傾斜とは、軸の方向から見て、傾斜部３９の固定端部２３ｃ側から自由端部２３ｄ側に向かうにつれ天板６１との距離が大きくなるような傾斜である。
【０１６２】
また、レバー部４０の第２の凸部４８の先端の形状は、軸の方向から見た場合に、曲率を有する。例えば、第２の凸部４８は、発電装置２０側に凸の略ドーム状であってもよいし、略半円柱体状（かまぼこ状）であってもよい。
【０１６３】
このような状態で、ボタン部１１の固定端部２３ｃ側が操作されたときについて、図１２の（ｂ）を参照しながら説明する。
【０１６４】
図１２の（ｂ）は、図１１の（ｂ）のＸＩＩｂ−ＸＩＩｂ線における、本実施の形態に係る発電スイッチ１０の概略断面図であり、ボタン部１１の固定端部２３ｃ側が操作されたときの発電スイッチ１０の状態を示す概略断面図である。
【０１６５】
ボタン部１１がユーザにより操作されることで、図中の矢印Ｐ１に示すように天板６１が押し下げられる。そして、ボタン下部６０とレバー部４０との接点が力点となり、図中の矢印Ｐ２に示すように、ボタン下部６０がレバー部４０を押し下げる。これにより、レバー部４０は第２の凸部２１ｄを回転軸として矢印Ｒ１の向きに回動する。
【０１６６】
上記でも説明したように、本実施の形態では傾斜部３９と第２の凸部４８とは初期状態において当接している。レバー部４０が回動することで、第２の凸部４８は、図中の矢印Ｐ３に示すように、傾斜部３９を下方（Ｚ軸マイナス方向）に押し下げる。例えば、レバー部４０が回動することで、第２の凸部４８は傾斜部３９を摺動しながら押し下げる。これにより、アーム部３０が押し下げられる。このとき、アーム部３０は、第１の凸部４６を回転軸として矢印Ｒ２の向きに回動する。矢印Ｒ２の向きは、ボタン部１１の自由端部２３ｄ側が操作されたときにアーム部３０が回動する向きと同じ向きである。つまり、矢印Ｒ２の向きは、発電部２３を自由振動させて発電させる向きである。
【０１６７】
なお、図１２の（ａ）及び（ｂ）では、Ｘ軸プラス側に配置されているアーム３１ａ及びアーム４１ａについて図示しているが、Ｘ軸マイナス側に配置されているアーム３１ｂ及びアーム４１ｂにおいても同様に第２の凸部４８及び傾斜部３９が形成されている。また、レバー部４０のアーム４１ａ及び４１ｂの固定端部２３ｃ側の端部は、第１の接続部４２により接続されている。
【０１６８】
例えば、平面視において、ボタン部１１の固定端部２３ｃ側のうちのレバー部４０のアーム４１ａと天板６１とが嵌合している位置に近い位置が操作されたとき、レバー部４０のアーム４１ａが押し下げられるとともに、第１の接続部４２によりアーム４１ａと接続されているアーム４１ｂも押し下げられる。つまり、ボタン部１１の固定端部２３ｃ側のどの位置を操作しても、アーム４１ａ及び４１ｂが押し下げられる。言い換えると、ボタン部１１（具体的には、天板６１）の固定端部２３ｃ側のどの位置を操作しても、レバー部４０が押し下げられ回動する。これにより、アーム部３０も回動する。
【０１６９】
上記のように、本実施の形態に係る発電スイッチ１０によれば、ボタン部１１を操作する位置に関わらず、アーム部３０を回動させることができる。つまり、発電部２３が発電することができる。
【０１７０】
なお、固定端部２３ｃ側を操作するとアーム部３０の傾斜部３９とレバー部４０の第２の凸部４８との接点がアーム部３０を押し下げる作用点となり、第２の凸部２１ｄが支点となる。作用点と力点とは距離が近い方が、より小さな力でアーム部３０を回動させることができる。そのため、傾斜部３９と第２の凸部４８との接点は、第２の凸部２１ｄに近い方がよい。例えば、図１２の（ａ）に示すよう、傾斜部３９及び第２の凸部４８は、レバー部４０を軸の方向から見たときの長さをＬとしたときに、レバー部４０の固定端部２３ｃ側の端部からＬ／２の位置より自由端部２３ｄ側に配置されている。つまり、軸の方向から見たときに、傾斜部３９及び第２の凸部４８はそれぞれレバー部４０の自由端部２３ｄ側及び固定端部２３ｃ側のうちの自由端部２３ｄ側に配置されている。なお、本実施の形態では、初期状態において、傾斜部３９と第２の凸部４８とは、当接しているが、これに限定されない。
【０１７１】
［１−３．効果］
以上のように、本実施の形態に係る発電スイッチ１０は、ホルダ部２１と、ホルダ部２１に固定された固定端部２３ｃと自由振動する自由端部２３ｄとを有し、自由端部２３ｄが自由振動することで電力を発生させる発電部２３であって、磁性体板２３ａ（吸着体の一例）を有する発電部２３と、自由端部２３ｄと固定端部２３ｃとを結ぶ方向に延伸し、固定端部２３ｃ側の端部が軸支され、回動することで磁性体板２３ａに磁力によって吸着される状態と、吸着される状態から解放される状態とをとる磁石３８を有するアーム部３０と、軸支における軸の方向から見た場合に、アーム部３０と交差するように自由端部２３ｄと固定端部２３ｃとを結ぶ方向に延伸し、自由端部２３ｄ側の端部が軸支され、回動することでアーム部３０を押し下げ回動させるレバー部４０と、押下された位置によりアーム部３０及びレバー部４０の少なくとも一方を押し下げ回動させる天板６１と、を備える。
【０１７２】
これにより、天板６１を操作し押し下げることで、アーム部３０を直接又はレバー部４０を介して回動させることができる。例えば、レバー部４０を備えていない場合、アーム部３０の固定端部２３ｃ側を操作することでアーム部３０を回動させることが難しかった。一方、本実施の形態に係る発電スイッチ１０は、天板６１を操作する、自由端部２３ｄ及び固定端部２３ｃを結ぶ方向と平行な方向の位置（本実施の形態では、Ｙ軸方向の位置）によらず、アーム部３０を回動させることができる。つまり、本実施の形態に係る発電スイッチ１０によれば、操作性が向上する。
【０１７３】
また、アーム部３０は、発電部２３が自由振動する方向から見た場合に発電部２３と重ならない位置に配置され、軸支における軸の方向から見た場合に所定の傾斜を有する傾斜部３９を有し、レバー部４０は、自由振動する方向から見た場合に傾斜部３９と重なる位置であり、軸支における軸の方向から見たときに傾斜部３９より天板６１側に配置される第２の凸部４８（突起部の一例）を有する。
【０１７４】
これにより、天板６１によりレバー部４０が回動するとき、第２の凸部４８が傾斜部３９を押し下げることができる。つまり、レバー部４０が回動することでアーム部３０を押し下げ回動させることができる。
【０１７５】
また、傾斜部３９及び第２の凸部４８はそれぞれ、レバー部４０の自由端部２３ｄ側及び固定端部２３ｃ側のうちの自由端部２３ｄ側に配置されている。
【０１７６】
これにより、天板６１の固定端部２３ｃ側が操作されレバー部４０が回動することでアーム部３０を押し下げ回動させるときに、ユーザは傾斜部３９及び第２の凸部４８が固定端部２３ｃ側に配置されている場合に比べ、弱い力で操作してもアーム部３０を回動させることができる。つまり、発電スイッチ１０の操作性がより向上する。
【０１７７】
また、第２の凸部４８の先端の形状は、軸支における軸の方向から見た場合に、曲率を有する。
【０１７８】
これにより、第２の凸部４８と傾斜部３９との接触面積が小さくなるので、レバー部４０が回動し第２の凸部４８が傾斜部３９を摺動する際の摩擦抵抗を低減することができる。つまり、第２の凸部４８が傾斜部３９を摺動しやすくなる。よって、ユーザは、さらに弱い力で操作してもアーム部３０を回動させることができる。つまり、発電スイッチ１０の操作性がさらに向上する。
【０１７９】
また、アーム部３０及びレバー部４０が天板６１により押し下げられていない場合に、第２の凸部４８と傾斜部３９とは当接している。
【０１８０】
これにより、天板６１によりレバー部４０が押し下げられ回動を開始するときに、レバー部４０は傾斜部３９を介してアーム部３０の回動を開始させることができる。つまり、レバー部４０の回動と、レバー部４０を介したアーム部３０の回動とを、略同時に開始することができる。
【０１８１】
また、アーム部３０の自由端部２３ｄ側及びレバー部４０の固定端部２３ｃ側のそれぞれは、天板６１と嵌合している。
【０１８２】
これにより、アーム部３０及びレバー部４０と天板６１とが当接しているので、天板６１はアーム部３０及びレバー部４０を押し下げ回動させやすくなる。また、天板６１が発電スイッチ１０から外れてしまうことを抑制できる。
【０１８３】
また、アーム部３０は、自由端部２３ｄと固定端部２３ｃとを結ぶ方向に延伸し、互いに平行となって発電部２３を挟み、固定端部２３ｃ側の端部同士が軸支されたアーム３１ａ及び３１ｂ（アーム部３０が有する一対のアームの一例）から構成される。また、レバー部４０は、アーム部３０と交差するように自由端部２３ｄと固定端部２３ｃとを結ぶ方向に延伸し、互いに平行となって発電部２３を挟み、自由端部２３ｄ側の端部同士が軸支されたアーム４１ａ及び４１ｂ（レバー部４０が有する一対のアームの一例）から構成される。
【０１８４】
これにより、本実施の形態に係る発電スイッチ１０は、天板６１を操作する、発電部２３の幅方向と平行な方向の位置（例えば、Ｘ軸方向の位置）によらず、アーム部３０を回動させることができる。つまり、本実施の形態に係る発電スイッチ１０によれば、さらに操作性が向上する。
【０１８５】
また、発電部２３は２つの圧電素子２３ｆ及び２３ｇと、金属板２３ｅを備え、２つの圧電素子２３ｆ及び２３ｇは、金属板２３ｅを挟むように配置されている。
【０１８６】
これにより、発電部２３が自由振動することで発電する電力を圧電素子が１つである場合より高くすることができる。
【０１８７】
また、以上のように、本実施の形態に係る発電装置２０は、一端部が固定される固定端部２３ｃであり、他端部が自由端部２３ｄである片持ち梁構造であり、自由端部２３ｄが自由振動することで発電する発電部２３と、発電部２３が載置される樹脂製のホルダ部２１と、ホルダ部２１に対して発電部２３と反対側に配置される金属製の剛板２７と、を備える。そして、固定端部２３ｃとホルダ部２１とが固定されており、ホルダ部２１と剛板２７とが固定されている。
【０１８８】
これにより、剛板２７が設けられていない場合に比べ、発電装置２０の重さを重くすることができる。さらに、剛板２７を発電部２３と反対側に配置することで、発電部２３と同じ面に剛板を配置する場合に比べ、剛板２７のサイズを大きくすることができる。よって、発電装置２０の重さを効率的に増やすことができるので、発電部２３の自由振動を従来よりも持続させることができる。言い換えると、本実施の形態に係る発電装置２０によれば、発電部２３の自由振動の減衰を従来よりも抑制することができる。
【０１８９】
また、固定端部２３ｃ、ホルダ部２１及び剛板２７はこの順に接触して重なり、共通の固定部材で固定されている。また、固定部材は、固定端部２３ｃ、ホルダ部２１及び剛板２７を貫通して固定するネジ２５である。
【０１９０】
例えば、発電部２３の固定端部２３ｃを樹脂製のホルダ部２１にセルフタップネジなどにより締結する場合、ホルダ部２１のつぶれ方のバラつきなどにより締結力にバラつきが生じており、自由振動の持続を妨げていた。一方、本実施の形態では、固定端部２３ｃ、ホルダ部２１及び金属製の剛板２７がネジ２５により貫通して締結されることで、発電部２３とホルダ部２１との締結力を向上させることができる。これにより、さらに発電部２３の自由振動を持続させることができる。
【０１９１】
また、さらに、発電部２３、ホルダ部２１及び剛板２７を収容するケース部１２（筐体の一例）を備え、ケース部１２と剛板２７とは、ネジ２５により固定される。
【０１９２】
これにより、ケース部１２が樹脂製のホルダ部２１と締結している場合に比べ、締結力を向上させることができるので、ケース部１２とホルダ部２１との締結力のバラつきで生じる自由振動の減衰を抑制することができる。
【０１９３】
また、ホルダ部２１の剛板２７が配置される側の面には、剛板２７の形状に対応した凹部２１ｇ（図７参照）が形成されており、剛板２７は凹部２１ｇに収容される。
【０１９４】
これにより、発電装置２０のサイズが大きくなることを抑制しつつ、発電装置２０の重さを重くできる。
【０１９５】
また、剛板２７は、非磁性体材料によって形成される。
【０１９６】
これにより、剛板２７による発電部２３の自由振動への影響を抑制できる。
【０１９７】
また、さらに、自由端部２３ｄに固定される磁性体板２３ａ（吸着体の一例）と、自由端部２３ｄと固定端部２３ｃとを結ぶ方向に延伸し、固定端部２３ｃ側の端部が軸支され、回動することで磁性体板２３ａに磁力によって吸着される状態と、吸着される状態から解放される状態とをとる磁石３８を有するアーム部３０と、を備える。
【０１９８】
これにより、上記の発電装置２０を発電スイッチに用いることができる。
【０１９９】
（実施の形態２）
次に、本実施の形態に係る発電スイッチ１１０について、図１３〜図１５を参照しながら説明する。なお、本実施の形態では実施の形態１との相違点を中心に説明し、実施の形態１と実質的に同一の構成に対しては、同一の符号を付し、説明を省略又は簡略化する場合がある。
【０２００】
［２−１．発電スイッチの全体構成］
まずは、本実施の形態に係る発電スイッチ１１０の構成について、図１３を参照しながら説明する。
【０２０１】
図１３は、本実施の形態に係る発電スイッチ１１０の構成を示す部分分解斜視図である。なお、図１３では、ボタン部１１、ケース部１２及びボタン下部６０などは省略している。ボタン下部６０（具体的には、天板６１）は、実施の形態１と同様、アーム部１３０及びレバー部１４０を覆うように配置される。
【０２０２】
図１３に示すように、本実施の形態に係る発電スイッチ１１０は、ホルダ部１２１、アーム部１３０及びレバー部１４０がそれぞれ実施の形態１に係るホルダ部２１、アーム部３０及びレバー部４０と異なる。さらに、本実施の形態に係る発電スイッチ１１０は、補強アーム部１７０を備える点に特徴を有する。
【０２０３】
以下では、発電スイッチ１１０を構成する各構成要素について、適宜図面を参照しながら説明する。
【０２０４】
［２−１−１．ホルダ部］
ホルダ部１２１について説明する。
【０２０５】
図１３に示すように、ホルダ部１２１は、実施の形態１に係るホルダ部２１に加えて第３の凸部１２１ｈを有する。第３の凸部１２１ｈは、第２の凸部２１ｄの自由端部２３ｄ側の端部から補強アーム部１７０側（言い換えると、Ｙ軸プラス側からＹ軸マイナス側）に向けて突出する凸部である。第３の凸部１２１ｈは、ホルダ部１２１の自由端部２３ｄ側の両端に形成されている第２の凸部２１ｄのそれぞれに形成されている。例えば、平面視において発電スイッチ１１０の外方から発電スイッチ１１０の自由端部２３ｄ側を見る向き（言い換えると、Ｙ軸のマイナス側からＹ軸のプラス側へ向かう向き）に第３の凸部１２１ｈを見た場合、第３の凸部１２１ｈの外形は、略円形である。
【０２０６】
［２−１−２．アーム部］
次に、アーム部１３０について説明する。
【０２０７】
図１３に示すように、アーム部１３０は、実施の形態１に係るアーム部３０に加えて第２の凸部１３７を有する。第２の凸部１３７は、アーム１３１ａ及び１３１ｂ（一対のアームの一例）のそれぞれの自由端部２３ｄ側の端部から、補強アーム部１７０側に向けて突出する凸部である。例えば、第２の凸部１３７の先端部は、略球状である。第２の凸部１３７は、ホルダ部１２１の第３の凸部１２１ｈよりＺ軸プラス側に形成されている。
【０２０８】
［２−１−３．レバー部］
次に、レバー部１４０について説明する。
【０２０９】
図１３に示すように、レバー部１４０は、実施の形態１に係るレバー部４０が有する第１の接続部４２を有していない。
【０２１０】
［２−１−４．補強アーム部］
次に、補強アーム部１７０について説明する。
【０２１１】
図１３に示すように、補強アーム部１７０は、発電スイッチ１１０の自由端部２３ｄ側に配置される。補強アーム部１７０は、アーム部１３０を補強するための補強部材である。補強アーム部１７０は、補強アーム１７１ａ及び１７１ｂ（２つの補強アームの一例）を有する。
【０２１２】
補強アーム１７１ａ及び１７１ｂは、アーム部１３０のアーム１３１ａ及び１３１ｂそれぞれの自由端部２３ｄ側の端部を結ぶ方向（言い換えると、Ｘ軸方向）と略平行な方向に互いに交差するように延伸する。
【０２１３】
補強アーム１７１ａは、両端部のうちの一端部に第１の開口部１７２ａを有し、他端部に第２の開口部１７３ａを有する。平面視において発電スイッチ１１０の外方から発電スイッチ１１０の自由端部２３ｄ側を見る向き（Ｙ軸マイナス側からＹ軸プラス側へ向かう向き）に補強アーム１７１ａを見た場合、第１の開口部１７２ａの外形は補強アーム１７１ａが延伸する方向を長軸とする略長円形状であり、第２の開口部１７３ａの外形は第２の凸部１３７の形状に対応した略円形状である。
【０２１４】
第１の開口部１７２ａにはホルダ部１２１のＸ軸プラス側に形成されている第３の凸部１２１ｈが嵌合される。また、第２の開口部１７３ａにはアーム１３１ｂに形成されている第２の凸部１３７が嵌合される。これにより、補強アーム１７１ａは、ホルダ部１２１及びアーム部１３０に取り付けられる。なお、補強アーム１７１ａは、第３の凸部１２１ｈにより軸支されており、第３の凸部１２１ｈを回転軸として回動可能に取り付けられる。例えば、アーム部１３０のうちのアーム１３１ｂ側が押し下げられ回動した場合、平面視において発電スイッチ１１０の外方から発電スイッチ１１０の自由端部２３ｄ側を見る向きに補強アーム１７１ａを見た場合、補強アーム１７１ａは第３の凸部１２１ｈを回転軸として反時計回りに回動する。
【０２１５】
さらに、補強アーム１７１ａは、平面視において発電スイッチ１１０の外方から自由端部２３ｄ側を見た場合に、補強アーム１７１ａ及び１７１ｂが交差する位置に、外形が補強アーム１７１ａの延伸する方向と略平行な方向を長軸とする略長円形状である第３の開口部１７４ａを有する。なお、第３の開口部１７４ａは、凹部の一例である。
【０２１６】
補強アーム１７１ｂは、両端部のうちの一端部に第１の開口部１７２ｂを有し、他端部に第２の開口部１７３ｂを有する。平面視において発電スイッチ１１０の外方から発電スイッチ１１０の自由端部２３ｄ側を見る向きに補強アーム１７１ｂを見た場合、第１の開口部１７２ｂの外形は補強アーム１７１ｂが延伸する方向を長軸とする略長円形状であり、第２の開口部１７３ｂの外形は第２の凸部１３７の形状に対応した略円形状である。
【０２１７】
第１の開口部１７２ｂにはホルダ部１２１のＸ軸マイナス側に形成されている第３の凸部１２１ｈが嵌合される。また、第２の開口部１７３ｂにはアーム１３１ａに形成されている第２の凸部１３７が嵌合される。これにより、補強アーム１７１ｂは、ホルダ部１２１及びアーム部１３０に取り付けられる。なお、補強アーム１７１ｂは、第３の凸部１２１ｈにより軸支されており、第３の凸部１２１ｈを回転軸として回動可能に取り付けられる。例えば、アーム部１３０のうちのアーム１３１ａ側が押し下げられ回動した場合、平面視において発電スイッチ１１０の外方から発電スイッチ１１０の自由端部２３ｄ側を見る向きに補強アーム１７１ｂを見た場合、補強アーム１７１ｂは第３の凸部１２１ｈを回転軸として時計回りに回動する。言い換えると、アーム部１３０が押し下げられた場合、補強アーム１７１ｂは補強アーム１７１ａと逆向きに回動する。
【０２１８】
さらに、補強アーム１７１ｂは、外方から自由端部２３ｄ側を見た場合に、補強アーム１７１ａ及び１７１ｂが交差する位置に、外形が略円形状であり補強アーム１７１ａ側に突出する凸部１７４ｂを有する。補強アーム１７１ｂがホルダ部１２１及びアーム部１３０に取り付けられた状態で、凸部１７４ｂの少なくとも一部は第３の開口部１７４ａ内に挿入されている。なお、補強アーム１７１ａ及び１７１ｂがそれぞれホルダ部１２１及びアーム部１３０に嵌合された状態で凸部１７４ｂが第３の開口部１７４ａを貫通していなければ、第３の開口部１７４ａは貫通孔でなくてもよい。例えば、第３の開口部１７４ａは補強アーム１７１ｂ側に開口を有する凹部であってもよい。
【０２１９】
補強アーム部１７０は、樹脂材料から構成される。例えば、補強アーム部１７０は、アクリル樹脂やポリカーボネート樹脂、ＰＢＴ（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。
【０２２０】
上記のように、本実施の形態に係る発電スイッチ１１０は、アーム部１３０の自由端部２３ｄ側の面に、互いに交差して配置される補強アーム１７１ａ及び１７１ｂを備える。補強アーム１７１ａは、天板６１側（Ｚ軸プラス側）の端部がアーム１３１ｂと嵌合し、発電部２３側（Ｚ軸マイナス側）の端部がホルダ部１２１と嵌合する。また、補強アーム１７１ｂは、天板６１側の端部がアーム１３１ａと嵌合し、発電部２３側の端部がホルダ部１２１と嵌合する。そして、補強アーム１７１ａ及び１７１ｂが交差する位置において、補強アーム１７１ａ及び１７１ｂは、一方の補強アーム（補強アーム１７１ａ及び１７１ｂのうちの一方）が押し下げられると他方の補強アーム（補強アーム１７１ａ及び１７１ｂのうちの他方）を押し下げるように連結されている。つまり、補強アーム部１７０は、互いに連動する２つの補強アーム１７１ａ及び１７１ｂを備えるクロスリンク機構を有する。
【０２２１】
［２−２．発電スイッチの動作］
次に、上記のように構成された本実施の形態に係る発電スイッチ１１０が操作された場合の動作について、図１４を参照しながら説明する。なお、図１４では、ボタン部１１、ケース部１２、及び、ボタン下部６０などを省略している。
【０２２２】
図１４は、本実施の形態に係るボタン部１１が操作されたときのアーム部１３０及び補強アーム部１７０の動作の概略を示す斜視図である。具体的には、図１４の（ａ）は、ボタン部１１が操作される前のアーム部１３０の状態を示す図である。なお、ボタン部１１が操作される前とは、初期状態である。図１４の（ｂ）は、ボタン部１１が操作され、アーム部１３０が回動したときの図である。例えば、ボタン部１１の固定端部２３ｃ側が操作されたときのアーム部１３０の動作を示す図である。図１４の（ｂ）に示すように、本実施の形態に係る発電スイッチ１１０は、ボタン部１１が操作されると、アーム部１３０が第１の凸部２１ｃを回転軸として回動する。このとき、発電スイッチ１１０は補強アーム部１７０を備えていることで、図１４の（ｂ）に示すようにアーム１３１ａ及び１３１ｂが初期状態から同じ略等しい角度で回動することに特徴を有する。
【０２２３】
さらに、アーム部１３０及び補強アーム部１７０の動作の詳細について、図１５を参照しながら説明する。
【０２２４】
図１５は、本実施の形態に係るボタン部１１が操作されたときのアーム部１３０及び補強アーム部１７０の動作の概略を示す側面図である。なお、図１５では、天板６１、ホルダ部１２１、アーム部１３０、及び、補強アーム部１７０を図示している。また、図１５は、発電スイッチ１１０の外方から発電スイッチ１１０の自由端部２３ｄ側を見たときの発電スイッチ１１０の側面図である。
【０２２５】
図１５の（ａ）は、ボタン部１１が操作される前の発電スイッチ１１０の状態を示す概略側面図である。図１５の（ａ）は、図１４の（ａ）の状態における概略側面図である。
【０２２６】
図１５の（ａ）に示すように、ボタン部１１が操作される前、つまりボタン下部６０が押し下げられていない初期状態で、補強アーム１７１ｂの凸部１７４ｂは、補強アーム１７１ａの第３の開口部１７４ａのアーム１３１ａ側（言い換えると、Ｘ軸プラス側）の内面と当接している。
【０２２７】
このような状態で、ボタン部１１のアーム１３１ａ側が操作されたときについて、図１５の（ｂ）を参照しながら説明する。図１５の（ｂ）は、図１４の（ｂ）の状態における概略側面図である。
【０２２８】
図１５の（ｂ）は、ボタン部１１のアーム１３１ａ側が操作されたときの発電スイッチ１１０の動作を示す概略側面図である。
【０２２９】
ユーザによりボタン部１１が操作されることで、図中の矢印Ｐ１１に示すように天板６１が押し下げられる。そして、天板６１に取り付けられているアーム１３１ａが第１の凸部２１ｃを回転軸として回動する。これに伴い、図中の矢印Ｐ１２に示すようにアーム１３１ａに取り付けられている補強アーム１７１ｂも押し下げられる。補強アーム１７１ｂが押し下げられるとき、図中の矢印Ｐ１３に示すように、凸部１７４ｂは第３の開口部１７４ａの内面を押し下げる。具体的には、凸部１７４ｂが第３の開口部１７４ａ内をアーム１３１ａからアーム１３１ｂへ向かう方向に摺動しながら第３の開口部１７４ａの内面を押し下げる。これにより、図中の矢印Ｐ１４に示すように、補強アーム１７１ａは押し下げられる。さらに、補強アーム１７１ａが取り付けられているアーム１３１ｂも補強アーム１７１ａが押し下げられることにより、押し下げられる。
【０２３０】
上記のように、補強アーム部１７０を備えていることで、本実施の形態に係る発電スイッチ１１０は、ボタン部１１のアーム１３１ａ側などの端部側が操作されたときであっても、アーム１３１ａ及び１３１ｂは、初期状態から略等しい角度で回動することができる。例えば、ボタン部のアーム１３１ａ側が押し下げられた場合、第１の接続部３２の剛性が低いと、アーム１３１ａのみが回動することが起こり得る。これにより、発電部２３を発電部２３の幅方向（Ｘ軸方向）に均一に撓ませることが困難となる。つまり、ユーザがボタン部１１を操作しても発電スイッチは安定して発電を行いにくくなる。一方、本実施の形態では、一方のアーム（例えば、アーム１３１ａ）が押し下げられ回動すると、補強アーム部１７０を介して他方のアーム（例えば、アーム１３１ｂ）が押し下げられ回動する。これにより、発電部２３の幅方向における撓みを略均一にすることができるので、発電部２３は安定した自由振動を行うことができる。つまり、発電スイッチ１１０は安定して発電を行うことができる。
【０２３１】
［２−３．効果］
以上のように、本実施の形態に係る発電スイッチ１１０は、ホルダ部１２１と、ホルダ部２１に固定された固定端部２３ｃと自由振動する自由端部２３ｄとを有し、自由端部２３ｄが自由振動することで電力を発生させる発電部２３であって、磁性体板２３ａ（吸着体の一例）を有する発電部２３と、自由端部２３ｄと固定端部２３ｃとを結ぶ方向に延伸し、互いに平行となって発電部２３を挟み、固定端部２３ｃ側の端部同士が軸支されたアーム１３１ａ及び１３１ｂ（一対のアームの一例）、アーム１３１ａ及び１３１ｂの自由端部２３ｄ側の端部同士を接続する第１の接続部３２（接続部の一例）、及び、アーム１３１ａ及び１３１ｂが回動することで磁性体板２３ａに磁力によって吸着される状態と、吸着される状態から解放される状態とをとる磁石３８を有するアーム部１３０と、外方から自由端部２３ｄ側を見た場合に、アーム１３１ａ及び１３１ｂのそれぞれの自由端部２３ｄ側の端部を結ぶ方向に延伸し、それぞれの一端部が軸支され他端部がアーム１３１ａ及び１３１ｂに取り付けられる２つの補強アーム１７１ａ及び１７１ｂを有し、２つの補強アーム１７１ａ及び１７１ｂのうちの補強アーム１７１ｂ（一方の補強アームの一例）はアーム１３１ａ及び１３１ｂのうちのアーム１３１ａ（一方のアームの一例）が回動することで補強アーム１７１ｂが回動するようにアーム１３１ａに取り付けられ、補強アーム１７１ａ（他方の補強アームの一例）は補強アーム１７１ａが回動することで補強アーム１７１ｂの回動の向きと逆向きに回動するように補強アーム１７１ｂに連結され、かつ他端部がアーム１３１ｂに取り付けられている補強アーム部１７０と、備える。
【０２３２】
これにより、一方のアーム（例えば、アーム１３１ａ）が押し下げられ回動すると、補強アーム部１７０を介して他方のアーム（例えば、アーム１３１ｂ）が押し下げられ回動する。つまり、発電部２３の幅方向における撓みを略均一にすることができるので、発電部２３は安定した自由振動を行うことができる。よって、発電スイッチ１１０は安定して発電を行うことができる。言い換えると、本実施の形態に係る発電スイッチ１１０は、アーム１３１ａ及び１３１ｂの自由端部２３ｄ側を結ぶ方向と平行な方向の位置（例えば、Ｘ軸方向の位置）によらず、アーム部１３０（具体的には、アーム１３１ａ及び１３１ｂ）を略等しい角度で回動させることができる。つまり、本実施の形態に係る発電スイッチ１０によれば、操作性が向上する。
【０２３３】
また、補強アーム１７１ｂは、補強アーム１７１ａと交差する位置において補強アーム１７１ａ側に突出した凸部１７４ｂを有し、補強アーム１７１ａは、凸部１７４ｂに対応した位置に第３の開口部１７４ａ（凹部の一例）を有し、凸部１７４ｂの少なくとも一部は第３の開口部１７４ａ内に挿入されている。
【０２３４】
これにより、補強アーム１７１ａ及び１７１ｂのうちの１つの補強アームが押し下げられた場合、残りの補強アームも押し下げることができる。
【０２３５】
また、凸部１７４ｂは、外方から自由端部２３ｄ側を見たときの外形が、略円形であり、第３の開口部１７４ａは、外方から自由端部２３ｄ側を見たときの外形が、補強アーム１７１ａの長尺方向が長軸となる略長円形である。
【０２３６】
これにより、凸部１７４ｂと第３の開口部１７４ａとの接触面積を低減することができるので、凸部１７４ｂが第３の開口部１７４ａを摺動しやすくなる。
【０２３７】
また、さらに、アーム部１３０の軸支における軸の方向から見た場合に、アーム部１３０と交差するように自由端部２３ｄと固定端部２３ｃとを結ぶ方向に延伸し、自由端部２３ｄ側の端部が軸支され、回動することでアーム部１３０を押し下げ回動させる凸部１７４ｂを有するレバー部１４０を備える。
【０２３８】
これにより、レバー部１４０を押し下げた場合であっても、アーム１３１ａ及び１３１ｂを略等しい角度で回動させることができる。また、補強アーム部１７０によりアーム部１３０の剛性が向上しているので、レバー部１４０は実施の形態１で設けられていた第１の接続部４２を設けなくてもよくなる。つまり、レバー部１４０の材料の使用量を低減することができる。
【０２３９】
また、押下された位置によりアーム部１３０及びレバー部１４０の少なくとも一方を押し下げ回動させるように、アーム部１３０及びレバー部１４０を覆う天板６１を備える。
【０２４０】
これにより、発電スイッチ１１０が天板６１を備えており、天板６１の操作される位置に関わらず、アーム１３１ａ及び１３１ｂを略等しい角度で回動させることができる。
【０２４１】
また、発電部２３は２つの圧電素子２３ｆ及び２３ｇと、金属板２３ｅを備え、２つの圧電素子２３ｆ及び２３ｇは、金属板２３ｅを挟むように配置されている。
【０２４２】
これにより、発電部２３が自由振動することで発電する電力を圧電素子が１つである場合より高くすることができる。
【０２４３】
（その他の実施の形態）
以上、実施の態様に係る発電スイッチについて、実施の形態に基づいて説明したが、本開示は、この実施の形態に限定されるものではない。
【０２４４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２４５】
その他、実施の形態に対して当業者が思いつく各種変形を施して得られる形態、または、本開示の主旨を逸脱しない範囲で各実施の形態における構成要素及び機能を任意に組み合わせることで実現される形態も本開示に含まれる。
【０２４６】
上記実施の形態では、発電スイッチ１０が操作されると、照明装置がオンされる例について説明したが、発電スイッチ１０が操作されることで制御される電気機器は１つに限定されない。制御装置において発電スイッチ１０の識別情報に対して、制御する電気機器を複数設定してもよい。例えば、制御装置は、発電スイッチ１０の識別情報と、照明装置をオンする制御及び電動カーテンを開ける制御を対応付けて記憶していてもよい。これにより、発電スイッチ１０を１回操作するだけで、照明装置及び電動カーテンなどの複数の電気機器を制御できる。
【０２４７】
上記実施の形態では、発電スイッチ１０は、操作されるたびに所定の信号を送信する例について説明したが、発電スイッチ１０の動作は信号を送信することに限定されない。例えば、発電スイッチ１０は操作されるたびに発光する又は音を発するなどの動作を行ってもよいし、その他の動作を行ってもよい。つまり、発電スイッチ１０が操作されることにより発生した電力の使用用途は特に限定されない。
【０２４８】
上記実施の形態では、発電スイッチ１０の平面視形状は、４隅がＲ形状の矩形状である例について説明したが、発電スイッチ１０の平面視形状はこれに限定されない。発電スイッチ１０の平面視形状は、三角形、台形及び長円形であってもよいし、その他の形状であってもよい。これにより、複数のユーザがそれぞれ発電スイッチ１０を使用する場合、ユーザごとに発電スイッチ１０の形状を変更して使用できるなど、発電スイッチ１０の利便性を向上させることができる。
【０２４９】
上記実施の形態では、吸着体は磁性体材料から形成される磁性体板２３ａである例について説明したが、これに限定されない。吸着体は、磁石であってもよい。なお、この場合、発電部２３が有する磁石、及び、アーム部３０が有する磁石３８の磁極は、互いに反対の磁極を用いる。
【０２５０】
上記実施の形態では、剛板２７はホルダ部２１の凹部２１ｇに収容される例について説明したが、これに限定されない。例えば、ホルダ部２１の剛板２７側の面は平滑な面であり、当該平滑な面と剛板２７とが当接するように固定されてもよい。
【０２５１】
上記実施の形態では、発電部２３は磁性体板２３ａと金属板２３ｅとを有する例について説明したが、これに限定されない。例えば、金属板２３ｅが磁性金属材料によって形成されてもよい。これにより、金属板２３ｅが磁性体板２３ａを兼ねることができるので、発電部２３の部品点数を削減できる。なお、この場合、磁性金属材料で形成される金属板２３ｅは、吸着体の一例である。また、磁性金属材料は、磁性体材料の一例である。
【０２５２】
また、上記実施の形態では、発電スイッチ１０及び１１０は持ち運び可能なスイッチである例について説明したが、これに限定されない。例えば、発電スイッチ１０及び１１０は、壁スイッチなどの造営材に固定されるスイッチに用いられてもよい。
【０２５３】
上記実施の形態では、発電スイッチ１１０は、レバー部１４０を備える例について説明したが、発電スイッチ１１０はレバー部１４０を備えていなくてもよい。
【産業上の利用可能性】
【０２５４】
本開示に係る発電スイッチは、発電装置を含むスイッチに利用でき、持ち運び可能な発電スイッチなどに有用である。
【符号の説明】
【０２５５】
１０、１１０    発電スイッチ
１１    ボタン部
１１ａ    上面部
１１ｂ、１２ｂ    側面部
１２    ケース部
１２ａ    底面部
１３    ネジ
２０    発電装置
２１、１２１    ホルダ部
２１ａ    第１のホルダ
２１ｂ    第２のホルダ
２１ｃ    第１の凸部
２１ｄ    第２の凸部
２１ｅ    第１の開口部
２１ｆ    第２の開口部
２１ｇ    凹部
２２、２５    ネジ
２３    発電部
２３ａ    磁性体板（吸着体）
２３ｂ    開口部
２３ｃ    固定端部
２３ｄ    自由端部
２３ｅ    金属板
２３ｆ、２３ｇ    圧電素子
２３ｈ、２３ｊ    電極
２３ｉ    圧電体
２４    ネジ用ホルダ部
２６    信号発信部
２６ａ    基板
２６ｂ    シールドケース
２６ｃ    アンテナ
２７    剛板
２７ａ    第１の開口部
２７ｂ    第２の開口部
２７ｃ    第３の開口部
３０、１３０    アーム部
３１ａ、３１ｂ    アーム（一対のアーム）
３２    第１の接続部（接続部）
３３    第２の接続部
３４    第１の開口部
３５    第２の開口部
３６    第３の開口部
３７    第１の凸部
３８    磁石
３９    傾斜部
４０、１４０    レバー部
４１ａ、４１ｂ    アーム（一対のアーム）
４２    第１の接続部
４３    第２の接続部
４４    第１の開口部
４５    第２の開口部
４６    第１の凸部
４７    湾曲部
４８    第２の凸部（突起部）
５０    カバー部
６０    ボタン下部
６１    天板
６２    側面部
６２ａ    爪部
６３    第１の凸部
６４    第２の凸部
１２１ｈ    第３の凸部
１３１ａ、１３１ｂ    アーム（一対のアーム）
１３７    第２の凸部
１７０    補強アーム部
１７１ａ、１７１ｂ    補強アーム（一対の補強アーム）
１７２ａ、１７２ｂ    第１の開口部
１７３ａ、１７３ｂ    第２の開口部
１７４ａ    第３の開口部（凹部）
１７４ｂ    凸部
【図１】
2018230359.tif 000003
【図２】
2018230359.tif 000004
【図３】
2018230359.tif 000005
【図４】
2018230359.tif 000006
【図５】
2018230359.tif 000007
【図６】
2018230359.tif 000008
【図７】
2018230359.tif 000009
【図８】
2018230359.tif 000010
【図９】
2018230359.tif 000011
【図１０】
2018230359.tif 000012
【図１１】
2018230359.tif 000013
【図１２】
2018230359.tif 000014
【図１３】
2018230359.tif 000015
【図１４】
2018230359.tif 000016
【図１５】
2018230359.tif 000017
【国際調査報告】
2018230359.tif 000018
2018230359.tif 000019
2018230359.tif 000020